(57)【特許請求の範囲】
【請求項１】
試料中の被検物質の測定についての精度管理情報の提供方法において、
精度管理情報の受給者の端末に、この受給者が精度管理用試料の測定値の入力を行えるようにした画面を表示し、この受給者に対して前記測定値の入力を促す段階と、
この入力された測定値がネットワークを通じてサーバーに送信される段階と、この送信された測定値を受信したサーバーにおいて、▲１▼前記受給者により選択され送信された内部精度管理又は外部精度管理に関する処理項目を検出することにより、場合により更に前記受給者により入力され送信されたデータを検出することにより、▲２▼前記選択された処理項目に応じた、場合により更に前記入力されたデータの条件に応じた、前記送信された測定値の統計処理を行い及び／又は管理図を作成して、前記精度管理情報を作成する精度管理情報の作成段階１と、
次に、この前記精度管理情報の作成段階１によって作成された精度管理情報を、前記サーバーよりネットワークを通じて前記受給者の端末に送信する段階と、を備え、試料中の被検物質の測定についての精度管理情報を随時前記受給者に提供することを特徴とするインターネットを利用した精度管理方法。
【請求項２】
試料中の被検物質の測定についての精度管理情報の提供方法において、
分析装置において精度管理用試料の測定値が、記録媒体に記録される段階２−ａと、
この記録媒体に記録された前記精度管理用試料の測定値が、精度管理情報の受給者の端末に取り込まれる段階２−ｂと、
この取り込まれた測定値がネットワークを通じてサーバーに送信される段階２−ｃと、
この送信された測定値を受信した前記サーバーにおいて、▲１▼前記受給者により選択され送信された内部精度管理又は外部精度管理に関する処理項目を検出することにより、場合により更に前記受給者により入力され送信されたデータを検出することにより、▲２▼前記選択された処理項目に応じた、場合により更に前記入力されたデータの条件に応じた、前記送信された測定値の統計処理を行い及び／又は管理図を作成して、前記精度管理情報を作成する精度管理情報の作成段階２と、
次に、この前記精度管理情報の作成段階２によって作成された精度管理情報を、前記サーバーよりネットワークを通じて前記受給者の端末に送信する段階と、を備え、試料中の被検物質の測定についての精度管理情報を随時前記受給者に提供することを特徴とするインターネットを利用した精度管理方法。
【請求項３】
分析装置において記録される段階２−ａで記録された前記記録媒体の前記精度管理用試料の測定値が、精度管理情報の受給者の端末に取り込まれる段階２−ｂ、及びこの取り込まれた測定値がネットワークを通じてサーバーに送信される段階２−ｃとが、
前記端末において、前記取り込まれた測定値の中より前記精度管理用試料の測定値が選択される段階と、
この選択された測定値が、ネットワークを通じてサーバーに送信される段階とを備えることを特徴とする請求項２に記載のインターネットを利用した精度管理方法。
【請求項４】
試料中の被検物質の測定についての精度管理情報の提供方法において、
分析装置より出力された精度管理用試料の測定値が、この分析装置より出力された測定値の処理を行うためのコンピュータ又は精度管理情報の受給者の端末を介して接続されたネットワークを通じてサーバーに送信される段階３−ａと、
この送信された測定値を受信したサーバーにおいて、▲１▼前記受給者により選択され送信された内部精度管理又は外部精度管理に関する処理項目を検出することにより、場合により更に前記受給者により入力され送信されたデータを検出することにより、▲２▼前記選択された処理項目に応じた、場合により更に前記入力されたデータの条件に応じた、前記送信された測定値の統計処理を行い及び／又は管理図を作成して、前記精度管理情報を作成する精度管理情報の作成段階３と、
次に、前記精度管理情報の作成段階３によって作成された精度管理情報を、前記サーバーよりネットワークを通じて精度管理情報の受給者の端末に送信する段階３−ｂとを備え、試料中の被検物質の測定についての精度管理情報を随時前記受給者に提供することを特徴とするインターネットを利用した精度管理方法。
【請求項５】
前記分析装置より出力された前記精度管理用試料の測定値が、この分析装置より出力された測定値の処理を行うためのコンピュータ又は精度管理情報の受給者の端末を介して接続されたネットワークを通じてサーバーに送信される段階３−ａが、
分析装置より出力された測定値が精度管理情報の受給者の端末に送られる段階と、
前記端末において、前記送られた測定値の中より前記精度管理用試料の測定値が選択される段階と、
この選択された測定値が、ネットワークを通じてサーバーに送信される段階とを備えることを特徴とする請求項４に記載のインターネットを利用した精度管理方法。
【請求項６】
前記分析装置より出力された前記精度管理用試料の測定値が、この分析装置より出力された測定値の処理を行うためのコンピュータ又は精度管理情報の受給者の端末を介して接続されたネットワークを通じてサーバーに送信される段階３−ａが、
分析装置より出力された測定値が分配器により複製される段階と、
前記複製された測定値のうちの一つが精度管理情報の受給者の端末に送られる段階と、
前記端末において、前記送られた測定値の中より前記精度管理用試料の測定値が選択される段階と、
前記選択された測定値が、ネットワークを通じてサーバーに送信される段階とを備えることを特徴とする請求項４に記載のインターネットを利用した精度管理方法。
【請求項７】
前記分析装置より出力された前記精度管理用試料の測定値が、ＲＳ２３２ｃ端子間をつないだ配線により前記コンピュータ又は前記受給者の端末に取り込まれることを特徴とする請求項４に記載のインターネットを利用した精度管理方法。
【発明の詳細な説明】
【０００１】
【発明の属する技術分野】
本発明は、測定施設における試料中の被検物質の測定が信頼できるものであるか否かに関する情報である精度管理情報を即時に当該測定施設に提供することができるインターネットを利用する精度管理方法に関する。特に、本発明は、分析化学分野、及び医療分野、特に臨床検査分野等において有用なものである。
【０００２】
【従来の技術】
試料中の被検物質（測定項目）の測定は、種々の被検物質について様々な方法で行われている。特に、患者に由来する試料中における種々の物質の測定を行う臨床検査は、疾病の診断、又は予防等において重要なものであり、病院、診療所等において広く行われている。
ところで、試料中の被検物質の測定を行って得られた測定値が、誤差を含んでいるものであった場合、すなわち正しい値のものではない場合、疾病の診断等の判断を誤ってしまう危険性がある。
【０００３】
そこで、得られた測定値が信頼できる値であるか否かを統計学的手法を用いて解析し、検証して、試料中の被検物質の測定における精密さ、正確さ等を管理すること（精度管理）が行われている。
この精度管理は、内部精度管理と外部精度管理（外部精度評価）に大別される。内部精度管理は、被検物質の測定を行う試料と近似した性質を有する精度管理用試料を、測定を行う試料と同時に測定し、精度管理用試料の測定値が、複数の測定値よりなる母集団等に基づいて設定された管理限界内に入っていれば、試料を測定して得られる測定値も精度管理用試料と同等の信頼性で測定されていると判断する管理手法である。
【０００４】
この内部精度管理は、同一測定施設内（病院、診療所、又は臨床検査センター等）における測定の精度管理である。
内部精度管理における精度管理についての情報（精度管理情報）としては、測定値の日内変動を管理するための日内精度管理、測定値の日間変動を管理するための日間精度管理、更に、より長い期間の測定値の変動を管理するための月間精度管理等がある。
この内部精度管理における精度管理情報の作成は、精度管理用試料の測定値について統計処理を行い、及び／又は管理図を作成することにより行うが、この手法の代表的なものとしては、例えば、Ｘ−Ｒｓ管理図法、Ｘｂａｒ−Ｒｓ−Ｒ管理図法、Ｘｂａｒ−Ｒ管理図法、Ｘｂａｒ−ｓ管理図法、Ｘｂａｒ−Ｒ−Ｓ管理図法、累積和法、Ｃｍ管理図法、双値法（ツインプロット法）〔Ｙｏｕｄｅｎプロット法、及びＴｏｎｋｓ法〕、マルチルール管理法（ウエストガード法）、臼井法（プラスマイナス管理図法）、又は分散図法（散布図法）等を挙げることができる。
〔なお、本発明及び図面において、「Ｘｂａｒ」は、測定値「Ｘ」の平均値を表すものとする。〕
【０００５】
また、外部精度管理（外部精度評価）であるが、これは、複数の測定施設（病院、診療所、又は臨床検査センター等）において同一の精度管理用試料の測定を行い、得られた測定値を統計学的に、整理、解析して、測定の精度管理を行う手法である。
内部精度管理では測定の精密さの管理を行うことができるものの、正確さについて客観的に評価することは困難である。
しかしながら、外部精度管理では、測定の精密さとともに正確さの管理も行うことができる。
【０００６】
外部精度管理において、精度管理についての情報（精度管理情報）を得る手法の代表的なものとして、以下の方法等を挙げることができる。
▲１▼  外部精度管理に参加する各測定施設における精度管理用試料の測定値を、測定法（測定原理）等毎にまとめて、複数の測定値よりなる母集団の形成を行う。
▲２▼  この複数の測定値の母集団の平均値（Ｍ）及び標準偏差（ＳＤ）を算出する。〔統計処理〕
▲３▼  各測定施設における精度管理用試料の測定値を評価基準に当てはめて、各測定施設の評価（精度管理情報）を作成する。
評価基準であるが、例を挙げると、その測定施設における測定値が「Ｍ±ＳＤ」の範囲内に入っている場合は評価「Ａ」とし、測定値が「Ｍ±（ＳＤ×２）」の範囲内に入っている場合は評価「Ｂ」とし、測定値が「Ｍ±（ＳＤ×３）」の範囲内に入っている場合は評価「Ｃ」とし、測定値が「Ｍ±（ＳＤ×３）」の範囲外となってしまっている場合は評価「Ｄ」とする等である。
【０００７】
ここで、その測定施設における測定の正確さ、精密さ等の信頼性は、評価「Ａ」の場合が最も高いものであり、逆に評価「Ｄ」の場合が最も低いものである。
この外部精度管理により、低い評価を受けた測定施設は、測定の方法等のチェック、及び是正の必要があることに気付くことができるのである。
また、この外部精度管理において精度管理情報を得る手法としては、例えば、Ｃｍ管理図法、又は分散図法（散布図法）等をも挙げることができる。
ところで、従来、精度管理情報の提供にネットワークを充分活用したものはなかった。
例えば、内部精度管理においては、その測定施設における精度管理用試料の測定値を統計処理して、平均値、測定値差、標準偏差、偏差、基準値、又は変動係数等を算出し、管理図を作成するが、測定値の統計処理及び／又は管理図の作成は、測定施設内で行うか又は、他の施設に依頼して行う場合もあった。
【０００８】
他の施設に依頼する際は、当該測定施設より測定値が、郵便、若しくはファクシミリ等で依頼先の施設に送られ、依頼先の施設ではこの測定値が手作業又は光学的文字読み取り装置（ＯＣＲ）等によりコンピュータに入力され、測定値の統計処理及び／又は管理図の作成が行われて、精度管理情報が作成され、これが依頼先の施設から当該測定施設に郵便又はファクシミリ等により返送されるものであった。
また、外部精度管理においては、精度管理用試料の測定値を、郵便、若しくはファクシミリ等で各測定施設より外部精度管理の事務局等の他の施設に送り、測定値の統計処理及び／又は管理図の作成を依頼するものであった。
外部精度管理の事務局等の依頼先の施設においては、送られてきた各測定施設の測定値が手作業又は光学的文字読み取り装置（ＯＣＲ）等によりコンピュータに入力され、測定値の統計処理及び／又は管理図の作成が行われ、各測定施設における測定の評価結果（精度管理情報）が作成され、これが外部精度管理の事務局等の依頼先の施設から各測定施設に郵便又はファクシミリ等により返送されるものであった。
【０００９】
つまり、内部精度管理において当該測定施設内で測定値の統計処理及び／又は管理図の作成を行う場合を除いては、内部精度管理及び外部精度管理のいずれにおいても、精度管理用試料の測定値を、郵便、若しくはファクシミリ等で各測定施設より、精度管理情報の作成・提供の依頼先の施設に送り、依頼先の施設においては送られてきた測定値を手作業又は光学的文字読み取り装置（ＯＣＲ）等によりコンピュータに入力し、そして作成された精度管理情報を依頼先の施設より各測定施設へ郵便又はファクシミリ等により返送するものであるので、各測定施設が精度管理情報の提供を受けるまでには、測定を行った精度管理用試料の測定値を依頼先施設へ送付してから早くとも１ヶ月以上の期間を要するものであった。
なお、最近、精度管理用試料の測定値を測定施設から依頼先の施設に送る際、及び依頼先の施設で作成した精度管理情報を測定施設へ返送する際に、電子メール（Ｅメール）を使用する方法が開示された。
【００１０】
しかし、この電子メールを使用する方法は、従来の郵便又はファクシミリ等の代わりに電子メールを使用するだけのものであり、依頼先の施設におけるコンピュータへの各測定施設の測定値の入力は、今まで通り手作業又は光学的文字読み取り装置（ＯＣＲ）等で行うものなので、各測定施設が精度管理情報の提供を受けるまでには、測定を行った精度管理用試料の測定値を依頼先の施設へ送付してから早くとも１週間以上の期間を要するものであった。
すなわち、従来の精度管理情報の提供方法、提供システムは、精度管理用試料の測定を行ってから、その測定についての精度管理情報の提供を受けるまでに相当の期間を要するものであり、仮に何らかの原因により測定値に誤差が生じるような状況になっていたとしても、精度管理情報の提供を受けるまでの上記期間の間は、その測定施設では測定に誤差が生じていることに気付かず、誤差を含んだ測定を繰り返し行うことになってしまう。
これは、臨床検査においては、疾患の診断等を誤ることにもつながりかねない重大な問題であった。
【００１１】
【発明が解決しようとする課題】
本発明は、以上の従来の問題点を解決するものである。
１．精度管理用試料の測定から精度管理情報の提供までの期間（時間）を短縮し、精度管理の結果が時間をかけずに知ることができるようにすることにより（例えば、即時に知ることができるようにする）、測定に誤差が生じていた場合でも測定施設において直ちにこれを察知することができ、そして即時に誤差解消のための行動（是正措置）を取ることができるようにする。
２．いつ何処からでも、インターネットを利用して精度管理用試料の測定値に関するデータをサーバーに送信し、即時に精度管理情報を作成させることができるようにする。
３．精度管理情報の受給者は、いつ何処にいてもインターネットを利用して即時に精度管理情報の提供を受けることができ、測定の信頼性を確かめることができるようにする。
また、測定者と精度管理情報の受給者が異なる場合、例えば、測定者が診療所より検査を受託した臨床検査センターであり、そして前記受給者が検査を委託した診療所の場合においても、前記受給者である診療所は、測定者である臨床検査センターの測定における精度管理情報をいつ何処にいても即時に確かめることができるようにする。
【００１２】
４．被検物質の測定値の精度管理方法における精度管理情報の提供システムにおいて、いかに多数の精度管理情報の受給者の端末が存在したとしても、プログラムのメンテナンス、及びバージョンアップは、前記各端末又はこの各端末内のプログラムを操作することなく、サーバーのプログラムを変更することのみにより実施することができるようにする。
５．測定値の処理を行うためのコンピュータと分析装置との間のデータ送信用の配線を取り外すことなく、すなわち、測定施設における日常の測定業務に支障を生じさせることなく、かつ繁雑な操作を行う必要なく、精度管理用試料の測定値に関するデータをサーバーに送信し、これにより精度管理情報の提供を受けることができるようにする。
【００１３】
【課題を解決するための手段】
本発明の第１の発明の前記課題は、試料中の被検物質の測定についての精度管理情報の提供方法において、精度管理情報の受給者の端末に、この受給者が精度管理用試料の測定値の入力を行えるようにした画面を表示し、この受給者に対して前記測定値の入力を促す段階と、この入力された測定値がネットワークを通じてサーバーに送信される段階と、この送信された測定値を受信したサーバーにおいて、▲１▼前記受給者により選択され送信された内部精度管理又は外部精度管理に関する処理項目を検出することにより、場合により更に前記受給者により入力され送信されたデータを検出することにより、▲２▼前記選択された処理項目に応じた、場合により更に前記入力されたデータの条件に応じた、前記送信された測定値の統計処理を行い及び／又は管理図を作成して、前記精度管理情報を作成する精度管理情報の作成段階１と、次に、この前記精度管理情報の作成段階１によって作成された精度管理情報を、前記サーバーよりネットワークを通じて前記受給者の端末に送信する段階とを備え、試料中の被検物質の測定についての精度管理情報を随時前記受給者に提供するインターネットを利用した精度管理方法によって達成できる。
【００１５】
本発明の第２の発明の前記課題は、試料中の被検物質の測定についての精度管理情報の提供方法において、分析装置において精度管理用試料の測定値が、記録媒体に記録される段階２−ａと、この記録媒体に記録された前記精度管理用試料の測定値が、精度管理情報の受給者の端末に取り込まれる段階２−ｂと、この取り込まれた測定値がネットワークを通じてサーバーに送信される段階２−ｃと、この送信された測定値を受信した前記サーバーにおいて、▲１▼前記受給者により選択され送信された内部精度管理又は外部精度管理に関する処理項目を検出することにより、場合により更に前記受給者により入力され送信されたデータを検出することにより、▲２▼前記選択された処理項目に応じた、場合により更に前記入力されたデータの条件に応じた、前記送信された測定値の統計処理を行い及び／又は管理図を作成して、前記精度管理情報を作成する精度管理情報の作成段階２と、次に、この前記精度管理情報の作成段階２によって作成された精度管理情報を、前記サーバーよりネットワークを通じて前記受給者の端末に送信する段階とを備え、試料中の被検物質の測定についての精度管理情報を随時前記受給者に提供する構成によって達成できる。
更に、分析装置において記録される段階２−ａで記録された前記記録媒体の前記精度管理用試料の測定値が、精度管理情報の受給者の端末に取り込まれる段階２−ｂ、及びこの取り込まれた測定値がネットワークを通じてサーバーに送信される段階２−ｃとが、前記端末において、前記取り込まれた測定値の中より前記精度管理用試料の測定値が選択される段階と、この選択された測定値が、ネットワークを通じてサーバーに送信される段階とを備える構成によって達成できる。
【００１６】
本発明の第３の発明の課題は、試料中の被検物質の測定についての精度管理情報の提供方法において、分析装置より出力された精度管理用試料の測定値が、この分析装置より出力された測定値の処理を行うためのコンピュータ又は精度管理情報の受給者の端末を介して接続されたネットワークを通じてサーバーに送信される段階３−ａと、この送信された測定値を受信したサーバーにおいて、▲１▼前記受給者により選択され送信された内部精度管理又は外部精度管理に関する処理項目を検出することにより、場合により更に前記受給者により入力され送信されたデータを検出することにより、▲２▼前記選択された処理項目に応じた、場合により更に前記入力されたデータの条件に応じた、前記送信された測定値の統計処理を行い及び／又は管理図を作成して、前記精度管理情報を作成する精度管理情報の作成段階３と、次に、前記精度管理情報の作成段階３によって作成された精度管理情報を、前記サーバーよりネットワークを通じて精度管理情報の受給者の端末に送信する段階３−ｂとを備え、試料中の被検物質の測定についての精度管理情報を随時前記受給者に提供するインターネットを利用した精度管理方法によって達成できる。
【００１７】
また、この第３の発明の前記課題は、前記分析装置より出力された前記精度管理用試料の測定値が、この分析装置より出力された測定値の処理を行うためのコンピュータ又は精度管理情報の受給者の端末を介して接続されたネットワークを通じてサーバーに送信される段階３−ａが、分析装置より出力された測定値が精度管理情報の受給者の端末に送られる段階と、前記端末において、前記送られた測定値の中より前記精度管理用試料の測定値が選択される段階と、この選択された測定値が、ネットワークを通じてサーバーに送信される段階とを備える構成、または前記分析装置より出力された前記精度管理用試料の測定値が、この分析装置より出力された測定値の処理を行うためのコンピュータ又は精度管理情報の受給者の端末を介して接続されたネットワークを通じてサーバーに送信される段階３−ａが、分析装置より出力された測定値が分配器により複製される段階と、前記複製された測定値のうちの一つが精度管理情報の受給者の端末に送られる段階と、前記端末において、前記送られた測定値の中より前記精度管理用試料の測定値が選択される段階と、前記選択された測定値が、ネットワークを通じてサーバーに送信される段階とを備える構成、または前記分析装置より出力された前記精度管理用試料の測定値が、ＲＳ２３２ｃ端子間をつないだ配線により前記コンピュータ又は前記受給者の端末に取り込まれる構成により達成することができる。
【００１８】
本発明のインターネットを利用した精度管理方法は、前記構成により、次のような効果を発揮する。
精度管理用試料の測定から精度管理情報の提供までの期間（時間）が短縮され、精度管理の結果が時間をおかずに把握することができるため（即時に知ることも可能）、測定に誤差が生じていた場合でも測定施設において直ちにこれを知ることができ、そして即時に誤差解消のための行動を取ることができ、ネットワークを通じて精度管理用試料の測定値に関するデータをサーバーに送信するものであるため、（例えば、携帯電話、ＰＨＳ等を使用すれば、）いつ何処からでも、精度管理用試料の測定値に関するデータをサーバーに送信でき、即時に精度管理情報を作成させることができる。
【００１９】
本発明は、ネットワークを通じて精度管理情報の提供を行うものであるので、前記精度管理情報の受給者は、（例えば、携帯電話、ＰＨＳ等を使用すれば、）いつ何処にいても即時に精度管理情報の提供を受けることができる。すなわち、いつ何処にいても即時に測定の信頼性を確かめることができる。また、測定者と精度管理情報の受給者が異なる場合、例えば、測定者が診療所より検査を受託した臨床検査センターであり、そして前記受給者が検査を委託した診療所の場合においても、前記受給者である診療所は、測定者である臨床検査センターの測定における精度管理情報を、いつ何処にいても即時に確かめることができる。
請求項１に記載の第１の発明は、精度管理用試料の測定値について、統計処理を行い、及び／又は管理図を作成して、精度管理情報の作成段階１をサーバーにおいて実行するため、精度管理情報の受給者の端末に上記の処理を行うプログラムを存在させる必要がない。これにより、この精度管理情報の提供システムにおいて、いかに多数の前記端末が存在したとしても、プログラムのメンテナンス、及びバージョンアップは、サーバーのプログラムを変更することのみにより達成する。
本発明の第３の発明は、測定値の処理を行うためのコンピュータと分析装置との間のデータ送信用の配線を取り外さずに済むので、測定施設における日常の測定業務に支障を生じさせることなく、かつ繁雑な操作を行う必要なく、精度管理用試料の測定値に関するデータをサーバーに送信し、これにより精度管理情報の提供を受けることができる。
【００２０】
【発明の実施の形態】
本発明は、測定施設における試料中の被検物質の測定において、得られる測定値が信頼できる値であるか否かに関する情報、すなわち得られる測定値の信頼性に関する情報である精度管理情報の提供方法、すなわち、インターネットを利用する精度管理方法に関するものである。
試料中の被検物質の測定を行う測定施設についての精度管理情報を、その測定施設よりの依頼（委託）を受けて提供を行う者が実施する方法についてのものである。
本発明においては、その精度管理情報の提供の依頼（委託）を行い、精度管理情報の提供を受ける者を「精度管理情報の受給者」（単に、「受給者」と略すことがある）としている。
【００２１】
通常は、「試料中の被検物質の測定を行う者」と、「精度管理情報の提供を受ける者」は同一であるか、又は同一測定施設内の者である。しかしながら、「試料中の被検物質の測定を行う者」と「精度管理情報の提供を受ける者」が異なる場合もある。（例えば、「試料中の被検物質の測定を行う者」が臨床検査センターであり、「精度管理情報の提供を受ける者」がこの臨床検査センターに測定を委託した診療所、病院などの場合等）本発明においては、このような場合でも、説明の便宜上、両者とも「精度管理情報の受給者」として説明する。
【００２２】
◎  試料中の被検物質の測定についての精度管理情報
本発明における「試料中の被検物質の測定についての精度管理情報」について以下に説明する。
１．  試料
本発明において、試料は、試料中における存在の有無又は含有量（濃度、活性値など）の測定を行う対象となる被検物質（測定項目）を含むものであれば如何なるものでも良い。
これらの被検物質を含む試料としては、例えば、ヒト若しくは動物の、血清、血漿、血液、尿、髄液、唾液、涙、糞便、呼気、細胞、若しくは組織など；植物の抽出液、細胞、若しくは組織など；肉、野菜、穀物、果実、魚介類、牛乳、若しくは加工食品などの食物；種々の飲料；水道水、若しくは井戸水などの飲料水；土壌、河川水、湖沼水、海水、若しくは空気などの環境試料等を挙げることができる。
【００２３】
２．  被検物質
本発明において、被検物質（測定項目）とは、試料中における存在の有無又は含有量（濃度、活性値など）の測定を行う対象となるものであれば如何なるものも、本発明における被検物質となり得る。
この被検物質の例を、以下例示する。
まず、酵素反応により測定を行うことができる被検物質のうち酵素の基質となる物質として、例えば、クレアチニン、クレアチン、尿酸（ＵＡ）、尿素窒素（ＢＵＮ、ＵＮ）、グルコース、総コレステロール、遊離型コレステロール、エステル型コレステロール、ＨＤＬ−コレステロール、ＬＤＬ−コレステロール、β−リポタンパク質、トリグリセライド（ＴＧ、中性脂肪）、リン脂質（ＰＬ）、遊離脂肪酸（ＮＥＦＡ、ＦＦＡ）、グルコース、乳酸、ピルビン酸、ガラクトース、シアル酸、クエン酸、フルクトサミン、１，５−アンヒドロ−Ｄ−グルシトール、グリコーゲン、フコース、総ビリルビン、直接ビリルビン、間接ビリルビン、抱合型ビリルビン、非抱合型ビリルビン、ナトリウム、クロール、カリウム、カルシウム、無機リン、マグネシウム、又は、胆汁酸等を挙げることができる。
【００２４】
また、酵素反応により測定を行うことができる被検物質のうち酵素として、例えば、α−アミラーゼ、酸性ホスファターゼ、クレアチンキナーゼ（ＣＫ）、アスパラギン酸アミノトランスフェラーゼ（ＡＳＴ、ＧＯＴ）、アラニンアミノトランスフェラーゼ（ＡＬＴ、ＧＰＴ）、乳酸脱水素酵素（ＬＤＨ、ＬＤ）、アルカリ性ホスファターゼ（ＡＬＰ）、ロイシンアミノペプチダーゼ（ＬＡＰ）、γ−グルタミルトランスペプチダーゼ（γ−ＧＴ、γ−ＧＴＰ）、コリンエステラーゼ（Ｃｈ−Ｅ）、リパーゼ、又は、リポタンパク質リパーゼ（ＬＰＬ）等を挙げることができる。
そして、錯体形成反応により測定を行うことができる被検物質として、例えば、鉄、不飽和鉄結合能（ＵＩＢＣ）、総鉄結合能（ＴＩＢＣ）、銅、アルミニウム、亜鉛、カルシウム、又は、マグネシウム等を挙げることができる。
【００２５】
更に、抗原抗体反応（免疫学的反応）により測定を行うことができる被検物質として、例えば、ＨＢｓ抗原、抗ＨＢｓ抗体、ＨＢｅ抗原、抗ＨＢｅ抗体、抗ＨＢｃ抗体、抗ＨＣＶ抗体、抗ＨＩＶ抗体、抗ＡＴＬＶ抗体等のウイルス関連の抗原又は抗体；大腸菌Ｏ１５７抗原、抗トレポネーマ・パリダム（ＴＰ）抗体、抗マイコプラズマ抗体、抗ストレプトリジンＯ抗体（ＡＳＯ）等の細菌関連の抗原又は抗体；免疫グロブリンＧ（ＩｇＧ）、免疫グロブリンＡ（ＩｇＡ）、免疫グロブリンＭ（ＩｇＭ）、若しくは免疫グロブリンＥ（ＩｇＥ）等の免疫グロブリン；Ｃ反応性タンパク質（ＣＲＰ）、α１−酸性糖タンパク質、ハプトグロビン、補体Ｃ３、補体Ｃ４、リウマトイド因子等の炎症マーカー；α−フェトプロテイン、ＣＥＡ、ＣＡ１９−９等の腫瘍マーカー；ヒト胎盤絨毛性ゴナドトロピン等のホルモン；アレルゲン、アレルゲン特異ＩｇＥ抗体等のアレルギー関連の抗原又は抗体；抗トロンビンＩＩＩ（ＡＴＩＩＩ）等の血液凝固系関連物質；フィブリン体分解物（ＦＤＰ）、Ｄダイマー等の線溶系関連物質；ＡＢＯ式血液型抗体、不規則抗体等の血液型関連の抗原又は抗体；リポタンパク質（ａ）、フェリチン等の疾病に関連した他の物質；薬物、又は、毒物等を挙げることができる。
【００２６】
また、核酸のこれに相補的な核酸との結合反応により測定を行うことができる被検物質として、例えば、病原性ウイルスなどのウイルスのＤＮＡ若しくはＲＮＡ、病原性細菌などの細菌のＤＮＡ若しくはＲＮＡ、又は、ヒトなどの動物あるいは植物のＤＮＡ若しくはＲＮＡ等を挙げることができる。
【００２７】
３．  精度管理情報
本発明において提供が行われる、試料中の被検物質の測定についての精度管理情報は、当該測定施設における試料中の被検物質の測定値が信頼できる値であるか否かに関する情報であって、当該測定施設において精度管理用試料を測定して得た測定値を統計学的手法を用いて解析、検証を行うことにより作成することができる情報である。
すなわち、当該測定施設における精度管理用試料の測定値について、統計処理を行い、及び／又は管理図を作成することにより作成を行う、当該施設での試料中の被検物質の測定値の信頼性（正確さ、精密さ等）に関する情報である。
【００２８】
本発明における精度管理情報は、内部精度管理における精度管理情報、及び外部精度管理における精度管理情報の両方をも含むものである。
また、本発明における精度管理情報は、日常（ルーチン）の内部精度管理における精度管理情報、及び日常（ルーチン）の外部精度管理における精度管理情報に加えて、特定の参加者（精度管理情報の受給者）間の外部精度管理（「サーベイ」）における精度管理情報をも含むものである。
【００２９】
本発明における内部精度管理での精度管理情報は、測定値の日内変動を管理するための日内精度管理、測定値の日間変動を管理するための日間精度管理、又はより長い期間の測定値の変動を管理するための月間精度管理等を含むものである。
当該測定施設における精度管理用試料の測定値について統計処理を行い、及び／又は管理図を作成して、当該測定施設の内部精度管理における精度管理情報を作成する手法としては、例えば、Ｘ−Ｒｓ管理図法、Ｘｂａｒ−Ｒｓ−Ｒ管理図法、Ｘｂａｒ−Ｒ管理図法、Ｘｂａｒ−ｓ管理図法、Ｘｂａｒ−Ｒ−Ｓ管理図法、累積和法、Ｃｍ管理図法、双値法（ツインプロット法）〔Ｙｏｕｄｅｎプロット法、及びＴｏｎｋｓ法〕、マルチルール管理法（ウエストガード法）、臼井法（プラスマイナス管理図法）、又は分散図法（散布図法）等の公知の精度管理情報作成手法を挙げることができる。
【００３０】
なお、日内精度管理の精度管理情報としてはＸ−Ｒｓ管理図が好ましく、日間精度管理の精度管理情報としてはＸｂａｒ−Ｒｓ−Ｒ管理図が好ましく、そして月間精度管理の精度管理情報としては当該月の各測定値の平均値、測定値差、標準偏差、偏差、又は変動係数等をまとめた集計表が好ましい。
また、当該測定施設における精度管理用試料の測定値について統計処理を行い、及び／又は管理図を作成して、当該測定施設の外部精度管理における精度管理情報を作成する手法としては、例えば、外部精度管理に参加する各測定施設における精度管理用試料の測定値を、測定法（測定原理）等毎にまとめて、複数の測定値よりなる母集団の形成を行い、次に、この複数の測定値の母集団の平均値（Ｍ）及び標準偏差（ＳＤ）を算出し、そして、当該測定施設における精度管理用試料の測定値を、評価基準（例えば、当該測定施設における測定値が「Ｍ±ＳＤ」の範囲内に入っている場合は評価「Ａ」とする等）に当てはめて、各測定施設の評価（精度管理情報）を作成するなどの手法等の公知の精度管理情報作成手法を挙げることができる。更に、この外部精度管理において精度管理情報を得る手法としては、Ｃｍ管理図法、又は分散図法（散布図法）等を挙げることができる。
【００３１】
４．精度管理用試料
本発明において、精度管理用試料は、一種類又は複数種類の被検物質を含有するものであれば良い。この精度管理用試料には、含有する被検物質の含有量（濃度、又は活性値等）が表示されていることが好ましい。また、この精度管理用試料に含有させる被検物質は、ヒト由来のものであることが好ましい。この精度管理用試料は、被検物質とともに、ヒト若しくは動物の、血清、血漿、若しくは血液等の生体に由来する成分を基材（マトリックス）とするもの、又は含有するものであることが好ましく、特に、ヒトの、血清、血漿、若しくは血液等の成分を基材（マトリックス）とするもの、又は含有するものであることが好ましい。
更に、この精度管理用試料には、必要に応じて、緩衝剤、有機溶媒、界面活性剤、糖類、脂質、アミノ酸、ペプチド、タンパク質、補酵素、塩、安定化剤、防腐剤、活性化剤、キレート剤、又は他の高分子物質等が含まれていてもよい。そして、この精度管理用試料の形態であるが、凍結乾燥、凍結、液状、固体、粉末、又は顆粒等いずれの形態のものでも良い。
【００３２】
本発明の一実施態様について説明する。
なお、以下において、「手入力方式」と明示したのは本発明の手入力方式に関するものであり、また、「間接取込方式」と明示したのは本発明の間接取込方式に関するものであり、更に、「直接取込方式」と明示したのは本発明の直接取込方式に関する説明である。そして、特に前記各方式の明示がないものは、本発明の手入力方式、間接取込方式及び直接取込方式の各方式に共通するものである。なお、本発明において、「手入力方式」とは、精度管理情報の受給者が、測定により得られた精度管理用試料の測定値に関するデータ等を、手入力により前記受給者の端末に入力を行い、これをサーバーに送信する場合の、本発明の試料中の被検物質の測定についての精度管理情報を提供するインターネットを利用する精度管理方法を意味する（請求項１の発明）。
本発明において、「間接取込方式」とは、精度管理情報の受給者が、測定により得られた精度管理用試料の測定値に関するデータ等を、フロッピーディスク等の記録媒体を介して間接的に前記受給者の端末に取り込ませ、これを前記端末よりサーバーに送信する場合の、本発明の試料中の被検物質の測定についての精度管理情報を提供するインターネット利用する精度管理方法を意味する（請求項３の発明）
【００３３】
ここで、この記録媒体は、文字、画像などのデータを記録することができ、かつ、その記録したデータを何らかの方法により読み込むことが可能なものであれば、特に制限することなく用いることができる。
この記録媒体として、例えば、フロッピーディスク、ＣＤ（コンパクトディスク）、ＤＶＤ、ＭＤ、磁気テープ、カセットテープ等を挙げることができる。
更に、本発明において、「直接取込方式」とは、分析装置より出力された精度管理用試料の測定値に関するデータ等のサーバーへの送信を、分析装置に接続された配線、回線等を介して直接的に行う場合の、本発明の試料中の被検物質の測定についての精度管理情報を提供するインターネットを利用する精度管理方法を意味し（請求項６の発明）、この分析装置に接続された配線として、例えば、ＲＳ２３２ｃ端子間をつないだ配線等を挙げることができる。
【００３４】
・全体構成
「手入力方式」、及び「間接取込方式」の一実施形態における全体構成を図１に示す。また、「直接取込方式」の一実施形態における全体構成を図２に示す。
サーバー（１０）が、ＬＡＮ（ローカルエリアネットワーク）、経路制御装置、及び／又は電話回線等を経由してネットワークに接続されている。
精度管理情報の受給者の端末（１０１、１０２、１０３、１０４…）も、前記サーバー（１０）と同様にしてネットワークに接続されている。
なお、前記サーバー（１０）及び前記受給者の端末（１０１、１０２、１０３、１０４…）は、それぞれＣＲＴ又は液晶画面等の表示部、並びに、キーボード又はマウス等の入力部を備えるものである。
【００３５】
・分析装置
手入力方式、及び間接取込方式において、測定施設において測定者（精度管理情報の受給者）が試料中の被検物質の測定を行うのに使用する分析装置（２０１、２０２、２０３、２０４、２０５、２０６…）は、ネットワークに接続されていなくともよい。
直接取込方式において、測定施設において測定者（精度管理情報の受給者）が試料中の被検物質の測定を行うのに使用する分析装置（２０１、２０２、２０３、２０４、２０５、２０６…）は、直接又は前記端末等を介してネットワークに接続されている必要がある。
【００３６】
なお、この分析装置（２０１、２０２、２０３、２０４、２０５、２０６…）を、ネットワークに接続する形態は、この分析装置より出力された精度管理試料の測定値等のデータがサーバー（１０）に送信できるものであれば、いかなる形態のものでもよいが、例えば、以下のものを挙げることができる。
（Ａ）  分析装置（２０１、２０２、２０３、２０４、２０５、２０６…）が、ネットワークに直接接続されている。
（Ｂ）  分析装置（２０１、２０２、２０３、２０４、２０５、２０６…）が、この分析装置より出力された測定値の処理を行うためのコンピュータ（３０１、３０２、３０３…）を介してネットワークに接続されている。
（Ｃ）  分析装置（２０１、２０２、２０３、２０４、２０５、２０６…）が、前記受給者の端末（１０１、１０２、１０３、１０４…）を介してネットワークに接続されている。
【００３７】
なお、この場合、分析装置より出力された測定値等のデータの複製を行う分配器（４０１，４０２、４０３…）が、分析装置（２０１、２０２、２０３、２０４、２０５、２０６…）と前記受給者の端末（１０１、１０２、１０３、１０４…）との間、又は分析装置（２０１、２０２、２０３、２０４、２０５、２０６…）とネットワークとの間に存在しても良い。
更に、この分配器と前記のコンピュータ（３０１、３０２、３０３…）が接続されていても良い。
【００３８】
本発明において、ネットワークとは、文字、画像などのデータ等を指定する送信先に送ることができるシステムのことであり、例えば、インターネット、ＬＡＮ（ローカルエリアネットワーク）、イントラネット、専用通信回線、又は公衆通信回線等を挙げることができる。
なお、前記サーバー（１０）、前記端末（１０１、１０２、１０３、１０４…）、前記分析装置（２０１、２０２、２０３、２０４、２０５、２０６…）、前記コンピュータ（３０１、３０２、３０３…）、及び前記分配器（４０１、４０２、４０３…）等のネットワークへの接続は、有線の電話システムの使用に限定されることなく、例えば、携帯電話システム、又はＰＨＳシステム等の種々の通信システムを用いても良い。
【００３９】
・  サーバーの構成
サーバー（１０）の構成を、図３に示す。
なお、このサーバーは、複数のサーバーからなるものであってもよい。
例えば、下記の制御手段（１１）、入力制御手段（１２）、及び出力制御手段（１３）等を主とするサーバーと、制御手段（１１）及び記憶手段（１４〜２２）を主とするサーバーを組み合わせて用いてもよい。制御手段（１１）は、ＣＰＵ等から構成され、各部の制御、データの転送、種々の演算、データの一時的な格納等を行う。入力制御手段（１２）は、ネットワークを通じて接続された前記端末（１０１、１０２、１０３、１０４…）、又は前記分析装置（２０１、２０２、２０３、２０４、２０５、２０６…）から送信される精度管理用試料の測定値等のデータを制御する。出力制御手段（１３）は、前記端末（１０１、１０２、１０３、１０４…）に送信される精度管理情報等のデータを制御する。
【００４０】
各記憶手段（１４〜２３）は、各々以下のファイルが格納され、記憶されている。
記憶手段（１４）には、メインプログラムが記憶され、このメインプログラムは、制御手段（１１）で用いられるものである。前記メインプログラムを構成するプログラムとしては、例えば、以下のようなものを挙げることができる。
（Ａ−１）  前記端末（１０１、１０２、１０３、１０４…）の表示部に、当該測定施設の照合のため、当該測定施設のＩＤ及びパスワードの入力を行えるようにした画面を表示させるプログラム。
（Ａ−２）  前記端末（１０１、１０２、１０３、１０４…）より送信された当該測定施設のＩＤ及びパスワードを取り込むプログラム。
（Ａ−３）  送信された当該測定施設のＩＤ及びパスワードの照合を行い、これらが予め登録されていた組み合わせのものであった場合には、前記端末（１０１、１０２、１０３、１０４…）の表示部に対して、精度管理情報の受給者が所望する利用方法の選択を行える画面を表示させるプログラム。
【００４１】
（Ｂ−１）  前記端末（１０１、１０２、１０３、１０４…）の表示部に、精度管理情報の受給者が利用方法の選択を行える画面、すなわち日常（ルーチン）の内部精度管理及び／又は外部精度管理における精度管理情報の提供を求めるか、あるいは特定の参加者（精度管理情報の受給者）間の外部精度管理（「サーベイ」）における精度管理情報の提供を求めるかの選択を行える画面を表示させるプログラム。
（Ｂ−２）  前記端末（１０１、１０２、１０３、１０４…）より送信された利用方法に関するデータ（情報）を取り込むプログラム。
（Ｂ−３）  前記受給者が選択した利用方法に応じ、日常（ルーチン）の内部精度管理及び外部精度管理における精度管理情報の提供に関するメニュー画面、又は特定の参加者（精度管理情報の受給者）間の外部精度管理（「サーベイ」）における精度管理情報の提供に関するメニュー画面を表示させるプログラム。
【００４２】
（Ｃ−１）  前記端末（１０１、１０２、１０３、１０４…）の表示部に、当該測定施設に関するデータ（情報）の入力（登録）を行えるようにした画面を表示させるプログラム。
（Ｃ−２）  前記端末（１０１、１０２、１０３、１０４…）より送信された測定施設に関するデータ（情報）を取り込むプログラム。
（Ｃ−３）  記憶手段（１５）の「施設情報ファイル」において、各測定施設に関するデータ（情報）について、記憶、変更、削除、読み出し、又は他のデータ（情報）への関連付け（リンク）を行うプログラム。
【００４３】
（Ｄ−１）  前記端末（１０１、１０２、１０３、１０４…）の表示部に、試料中の被検物質の測定に使用する分析装置に関するデータ（情報）の入力（登録）を行えるようにした画面を表示させるプログラム。
（Ｄ−２）  前記端末（１０１、１０２、１０３、１０４…）より送信された分析装置に関するデータ（情報）を取り込むプログラム。
（Ｄ−３）  記憶手段（１６）の「測定機器ファイル」において、分析装置に関するデータ（情報）について、記憶、変更、削除、読み出し、又は他のデータ（情報）への関連付け（リンク）を行うプログラム。
【００４４】
（Ｅ−１）  前記端末（１０１、１０２、１０３、１０４…）の表示部に、精度管理用試料に関するデータ（情報）の入力（登録）を行えるようにした画面を表示させるプログラム。
（Ｅ−２）  前記端末（１０１、１０２、１０３、１０４…）より送信された精度管理用試料に関するデータ（情報）を取り込むプログラム。
（Ｅ−３）  サーバー（１０）に取り込んだ精度管理用試料に関するデータ（情報）の一覧表を作成するプログラム。
（Ｅ−４）  前記作成された精度管理用試料に関するデータ（情報）の一覧表を、ネットワークを通じて前記端末（１０１、１０２、１０３、１０４…）に送信するプログラム。
（Ｅ−５）  記憶手段（１７）の「管理試料ファイル」において、精度管理用試料に関するデータ（情報）について、記憶、変更、削除、読み出し、又は他のデータ（情報）への関連付け（リンク）を行うプログラム。
【００４５】
（Ｆ−１）  前記端末（１０１、１０２、１０３、１０４…）の表示部に、当該測定施設における被検物質（測定項目）の測定に関するデータ（情報）の入力（登録）を行えるようにした画面を表示させるプログラム。
（Ｆ−２）  前記端末（１０１、１０２、１０３、１０４…）より送信された被検物質（測定項目）の測定に関するデータ（情報）を取り込むプログラム。
（Ｆ−３）  サーバー（１０）に取り込んだ被検物質（測定項目）の測定に関するデータ（情報）の一覧表を作成するプログラム。
（Ｆ−４）  前記作成された被検物質（測定項目）の測定に関するデータ（情報）の一覧表を、ネットワークを通じて前記端末（１０１、１０２、１０３、１０４…）に送信するプログラム。
（Ｆ−５）  記憶手段（１８）の「測定項目ファイル」において、被検物質（測定項目）の測定に関するデータ（情報）について、記憶、変更、削除、読み出し、又は他のデータ（情報）への関連付け（リンク）を行うプログラム。
【００４６】
（Ｇ−１）  前記端末（１０１、１０２、１０３、１０４…）の表示部に、精度管理情報の受給者が、内部精度管理における基準値に関するデータの入力（登録）を行えるようにした画面を表示させるプログラム。
（Ｇ−２）  前記端末（１０１、１０２、１０３、１０４…）より送信された内部精度管理における基準値に関するデータを取り込むプログラム。
（Ｇ−３）  記憶手段（２０）の「内部精度管理情報ファイル」において、内部精度管理における基準値に関するデータについて、記憶、変更、削除、読み出し、又は他のデータへの関連付け（リンク）を行うプログラム。
【００４７】
（Ｈ−１）  前記端末（１０１、１０２、１０３、１０４…）の表示部に、精度管理情報の受給者、精度管理情報の提供者（サーバーの管理者）、又は外部精度管理の主催者（管理者）が、外部精度管理における基準値に関するデータの入力（登録）を行えるようにした画面を表示させるプログラム。
（Ｈ−２）  前記端末（１０１、１０２、１０３、１０４…）より送信された外部精度管理における基準値に関するデータを取り込むプログラム。
（Ｈ−３）  記憶手段（２１）の「外部精度管理情報ファイル」において、外部精度管理における基準値に関するデータについて、記憶、変更、削除、読み出し、又は他のデータへの関連付け（リンク）を行うプログラム。
【００４８】
（Ｉ−１）  手入力方式において、前記端末（１０１、１０２、１０３、１０４…）の表示部に、精度管理用試料の測定値等のデータの入力を行えるようにした画面を表示させるプログラム。
（Ｉ−２）  手入力方式において、前記端末（１０１、１０２、１０３、１０４…）より送信された精度管理用試料の測定値等のデータを取り込むプログラム。
【００４９】
（Ｊ−１）  間接取込方式において、前記端末（１０１、１０２、１０３、１０４…）で、フロッピーディスク等の記録媒体より精度管理用試料の測定値等の取り込みを行えるようにしたプログラム。
（Ｊ−２）  間接取込方式において、前記端末（１０１、１０２、１０３、１０４…）より送信された精度管理用試料の測定値等のデータを取り込むプログラム。
（Ｊ−３）  間接取込方式において、前記端末（１０１、１０２、１０３、１０４…）より送信された精度管理用試料の測定値等のデータの中より精度管理用試料の測定値及びこれに関連するデータ（情報）を選択するプログラム。
【００５０】
（Ｋ−１）  直接取込方式において、前記分析装置（２０１、２０２、２０３、２０４…）より出力され、直接又は前記端末（１０１、１０２、１０３、１０４…）等を介して送られた精度管理用試料の測定値等のデータを取り込むプログラム。
（Ｋ−２）  直接取込方式において、前記分析装置（２０１、２０２、２０３、２０４…）より出力され送られた精度管理用試料の測定値等のデータ、又は前記の前記端末（１０１、１０２、１０３、１０４…）より送信された精度管理用試料の測定値等のデータの中より精度管理用試料の測定値及びこれに関連するデータ（情報）を選択するプログラム。
【００５１】
（Ｌ）  記憶手段（１８）の「測定値ファイル」において、精度管理用試料の測定値等のデータについて、記憶、変更、削除、読み出し、又は他のデータへの関連付け（リンク）を行うプログラム
（Ｍ−１）  サーバー（１０）に取り込んだ精度管理用試料の測定値のデータについて、統計処理を行い、及び／又は管理図を作成して、内部精度管理における精度管理情報を作成するプログラム。
（Ｍ−２）  サーバー（１０）に取り込んだ精度管理用試料の測定値のデータについて、統計処理を行い、及び／又は管理図を作成して、外部精度管理における精度管理情報を作成するプログラム。
【００５２】
（Ｎ）  前記作成された内部精度管理及び／又は外部精度管理における精度管理情報を、ネットワークを通じて前記端末（１０１、１０２、１０３、１０４…）に送信するプログラム。
（Ｏ−１）  サーバー（１０）に取り込んだ精度管理用試料の測定値に関するデータについて、内部精度管理における測定値の一覧表を作成するプログラム。
（Ｏ−２）  サーバー（１０）に取り込んだ精度管理用試料の測定値に関するデータについて、外部精度管理における測定値の一覧表を作成するプログラム。
【００５３】
（Ｐ）  前記作成された測定値等の一覧表のデータ（情報）を、ネットワークを通じて前記端末（１０１、１０２、１０３、１０４…）に送信するプログラム。
（Ｑ）  外部精度管理に参加している各測定施設の状況〔例えば、各測定施設において測定施設に関するデータ（情報）が登録済みであるか否か、又は精度管理用試料の測定値などのデータが入力済みであるか否か等〕を、ネットワークを通じて前記端末（１０１、１０２、１０３、１０４…）に送信するプログラム。
【００５４】
（Ｒ−１）  各ファイル、各データについて、変更、削除、複写、移動、バックアップ、圧縮、解凍、整理、変換、修復、最適化、解析、又は検索等を行うことができるプログラム。
（Ｒ−２）  特定のデータ、又は特定の条件のデータ群について、変更、削除、複写、移動、バックアップ、圧縮、解凍、整理、変換、修復、最適化、解析、又は検索等を行うことができるプログラム。
（Ｒ−３）  当該測定施設における分析装置、精度管理用試料、又は被検物質（測定項目）等の変更（切り替え）に伴い、各データを変更前のものから変更後のものに移行させるプログラム。
（Ｒ−４）  前記受給者の端末（１０１、１０２、１０３、１０４…）の表示部に表示される画面の内容の色、記号の種類、文字の大きさ、又は文字のフォント等の設定を各前記受給者独自のものに設定することができるプログラム。
（Ｒ−５）  各前記受給者のパスワードの変更を行うことができるプログラム。
（Ｒ−６）  各前記受給者における、この精度管理情報提供システムの使用記録の記憶、及び前記受給者の端末（１０１、１０２、１０３、１０４…）での表示が行えるプログラム。
（Ｒ−７）  前記受給者の端末（１０１、１０２、１０３、１０４…）において、各操作の説明、よくある質問とその回答、若しくは解決のためのヒントなどの表示、精度管理情報の提供者（サーバーの管理者）などへの交信、又は、サポートツール、メンテナンスツール、若しくはオプションツールなどのダウンロード等を行うことができるプログラム。
【００５５】
（Ｓ）  異なる前記受給者の端末（１０１、１０２、１０３、１０４…）の間、又は前記受給者の端末（１０１、１０２、１０３、１０４…）と精度管理情報の提供者（サーバーの管理者）若しくは外部精度管理の主催者（管理者）のサーバー（１０）との間で、意見交換等の交信を行うことができるプログラム。
（Ｔ）  各データ、信号の入力に対応し、前記各プログラムなどのサーバー（１０）における各プログラムの動作を統御し、進行させるプログラム。
【００５６】
この記憶手段（１４）には、前記端末（１０１、１０２、１０３、１０４…）、又は前記分析装置（２０１、２０２、２０３、２０４、２０５、２０６…）より送信された前記精度管理用試料の測定値等のデータが取り込まれ、一時的に記憶される。記憶手段（１５）には、施設情報ファイルが記憶されている。この施設情報ファイルは、精度管理に参加する個々の測定施設毎に作成され、当該測定施設に関するデータ（情報）が記憶されている。
前記施設情報ファイルにおいては、一つの測定施設毎に設定された測定施設コード番号、この測定施設のＩＤ、パスワード、測定施設名、担当部署名、責任者名、担当者名、郵便番号、住所、所属地区、電話番号、ファクシミリ番号、電子メールアドレス、測定施設の種別、加入団体名、グループ名、又は登録（更新）年月日などのデータ（情報）等より構成される。
なお、前記測定施設ファイルの各データ（情報）は、その内容を数字又はアルファベット等の文字で置き換え、コード化したものであっても良い。
【００５７】
記憶手段（１６）には、測定機器ファイルが記憶されている。
この測定機器ファイルは、個々の測定施設毎に作成され、当該測定施設において試料中の被検物質の測定に使用する分析装置に関するデータ（情報）が記憶されている。
前記測定機器ファイルにおいては、当該測定施設における、試料中の被検物質の測定に使用する分析装置毎の、製造販売元、機種名、納入年度、使用区分（メイン機又はサブ機の別、切替用であるか否かなど）、表示に使用する名称、又は登録（更新）年月日などのデータ（情報）等より構成される。
前記測定機器ファイルのデータ（情報）には、被検物質名（測定項目名）、精度管理用試料名、内部精度管理への参加の有無、外部精度管理への参加の有無、切り替え（変更）を行う項目、又は測定施設名（若しくは測定施設コード番号）等のデータ（情報）が、付加又は関連付け（リンク）されていてもよい。なお、前記測定機器ファイルの各データ（情報）は、その内容を数字又はアルファベット等の文字で置き換え、コード化したものであっても良い。
【００５８】
記憶手段（１７）には、管理試料ファイルが記憶されている。
この管理試料ファイルは、個々の測定施設毎に作成され、更に当該測定施設の分析装置毎に作成され、精度管理用試料に関するデータ（情報）が記憶されている。
前記管理試料ファイルにおいては、当該測定施設における、分析装置毎の、内部精度管理に使用する精度管理用試料の製品名、この製造番号（ロット番号）若しくはこの有効期限などのデータ（情報）、外部精度管理に使用する精度管理用試料の製品名、この製造番号（ロット番号）若しくはこの有効期限などのデータ（情報）、又は登録（更新）年月日などのデータ（情報）等より構成される。
前記管理試料ファイルのデータ（情報）には、精度管理用試料の製造販売元、又は測定施設名（若しくは測定施設コード番号）等のデータ（情報）が、付加又は関連付け（リンク）されていてもよい。なお、前記管理試料ファイルの各データ（情報）は、その内容を数字又はアルファベット等の文字で置き換え、コード化したものであっても良い。
【００５９】
記憶手段（１８）には、測定項目ファイルが記憶されている。
この測定項目ファイルは、個々の測定施設毎に作成され、更に当該測定施設の分析装置毎に被検物質（測定項目）単位に作成され、当該測定施設における当該被検物質（測定項目）の測定に関するデータ（情報）が記憶されている。前記測定項目ファイルにおいては、当該測定施設における、分析装置毎、かつ内部精度管理及び／若しくは外部精度管理に参加する被検物質名（測定項目名）毎の、精度管理に使用する精度管理用試料の製品名、この製造番号（ロット番号）、測定試薬の製造販売元、測定原理名（測定方法名）、校正に使用するキャリブレーターに関する情報、測定反応時の温度、検量方法、測定値の単位、小数点以下の桁数、基準範囲（正常値）、又は登録（更新）年月日などのデータ（情報）等より構成される。
前記測定項目ファイルのデータ（情報）には、内部精度管理への参加の有無、外部精度管理への参加の有無、測定年月日、測定時間若しくは午前・午後の別、又は測定施設名（若しくは測定施設コード番号）等のデータ（情報）が、付加又は関連付け（リンク）されていてもよい。なお、前記測定項目ファイルの各データ（情報）は、その内容を数字又はアルファベット等の文字で置き換え、コード化したものであっても良い。
【００６０】
記憶手段（１９）には、測定値ファイルが記憶されている。
この測定値ファイルは、個々の測定施設毎に作成され、更に測定月日毎及び分析装置毎に被検物質（測定項目）単位に作成され、各測定施設より送信された各々の精度管理用試料の測定値、精度管理用試料の製品名、この製造番号（ロット番号）、前回の精度管理用試料の測定値、又は登録（更新）年月日などのデータ（情報）等が記憶されている。
前記測定値ファイルの各測定値等のデータ（情報）には、測定施設名（若しくは測定施設コード番号）等のデータ（情報）が、付加又は関連付け（リンク）されていてもよい。なお、前記測定値ファイルの各データ（情報）は、その内容を数字又はアルファベット等の文字で置き換え、コード化したものであっても良い。
【００６１】
記憶手段（２０）には、内部精度管理情報ファイルが記憶されている。
この内部精度管理情報ファイルは、個々の測定施設毎に作成され、各測定施設より送信された精度管理用試料の測定値について統計処理を行い、及び／又は管理図を作成して作成を行ったその測定施設の内部精度管理の精度管理情報（例えば、管理図、統計処理値、若しくは評価など）、測定年月日、測定時間若しくは午前・午後の別、分析装置機種名、内部精度管理に参加する被検物質名（測定項目名）、精度管理用試料の測定値、精度管理用試料の製品名、この製造番号（ロット番号）、内部精度管理における基準値に関するデータ、又は登録（更新）年月日などのデータ（情報）等が記憶されている。前記内部精度管理情報ファイルの各精度管理情報には、外部精度管理への参加の有無、又は測定施設名（若しくは測定施設コード番号）等のデータ（情報）が、付加又は関連付け（リンク）されていてもよい。
なお、前記内部精度管理情報ファイルの各データ（情報）は、その内容を数字又はアルファベット等の文字で置き換え、コード化したものであっても良い。
【００６２】
記憶手段（２１）には、外部精度管理情報ファイルが記憶されている。
この外部精度管理情報ファイルは、各測定施設毎に作成され、各測定施設より送信された精度管理用試料の測定値について統計処理を行い、及び／又は管理図を作成して作成を行ったその測定施設の外部精度管理の精度管理情報（例えば、管理図、統計処理値、若しくは評価など）、測定年月日、測定時間若しくは午前・午後の別、分析装置機種名、外部精度管理に参加する被検物質名（測定項目名）、精度管理用試料の測定値、精度管理用試料の製品名、この製造番号（ロット番号）、外部精度管理における基準値に関するデータ（情報）、又は登録（更新）年月日などのデータ（情報）等が記憶されている。
【００６３】
前記外部精度管理情報ファイルの各精度管理情報には、特定の参加者（精度管理情報の受給者）間の外部精度管理（「サーベイ」）の名称、又は測定施設名（若しくは測定施設コード番号）等のデータ（情報）が、付加又は関連付け（リンク）されていてもよい。
なお、前記外部精度管理情報ファイルの各データ（情報）は、その内容を数字又はアルファベット等の文字で置き換え、コード化したものであっても良い。
【００６４】
記憶手段（２２）には、メンテナンスファイルが記憶されている。
このメンテナンスファイルは、個々の測定施設毎に作成され、当該測定施設（前記受給者）毎に設定された端末の表示部に表示される画面の内容の色、記号の種類、文字の大きさ、若しくは文字のフォントなどの設定内容に関するデータ（情報）、前記した各種ファイルあるいは各種データ（情報）の変更、削除、複写、移動、バックアップ、圧縮、解凍、整理、変換、修復、最適化、解析、若しくは検索などに関するデータ（情報）、パスワードの変更などのセキュリティに関するデータ（情報）、この精度管理情報提供システムの使用記録に関するデータ（情報）、又は、トラブルシューティングに関するデータ（情報）等が記憶されている。
前記メンテナンスファイルの各データ（情報）には、前記した種々のデータ（情報）が、付加又は関連付け（リンク）されていてもよい。
なお、前記メンテナンスファイルの各データ（情報）は、その内容を数字又はアルファベット等の文字で置き換え、コード化したものであっても良い。
【００６５】
記憶手段（２３）には、コミュニケーションファイルが記憶されている。
このコミュニケーションファイルは、異なる前記受給者の端末（１０１、１０２、１０３、１０４…）の間、又は前記受給者の端末（１０１、１０２、１０３、１０４…）と精度管理情報の提供者（サーバーの管理者）若しくは外部精度管理の主催者（管理者）のサーバー（１０）等との間で、意見交換などの交信を行った際の内容等のデータ（情報）が記憶されている。前記コミュニケーションファイルの各データ（情報）には、交信の発信元の測定施設名（若しくは測定施設コード番号）、交信の送信先の測定施設名（若しくは測定施設コード番号）、又は交信日時等のデータが、付加又は関連付け（リンク）されていてもよい。なお、前記コミュニケーションファイルの各データ（情報）は、その内容を数字又はアルファベット等の文字で置き換え、コード化したものであっても良い。
更に、以上の各ファイルの各データ（情報）のうち、他のデータ（情報）と関連付ける（リンクする）必要があるものについては、参照するネットワーク上の行き先（リンク先）を示すデータ（情報）を付加しておく。
【００６６】
３．精度管理情報の受給者の端末（１０１）の構成
前記精度管理情報の受給者の端末（１０１、１０２、１０３、１０４…）においては、手入力方式における精度管理用試料の測定値などのデータの入力、間接取込方式における記録媒体からの精度管理用試料の測定値などのデータの取り込み、直接取込方式における前記分析装置（２０１、２０２、２０３、２０４…）より出力された精度管理用試料の測定値などのデータの取り込み、精度管理用試料の測定値などのデータの選択、又は精度管理用試料の測定値などのデータのサーバー（１０）への送信等の処理を、この端末（１０１、１０２、１０３、１０４…）に記憶させ、又は作動させたプログラムにより行うこともできる。
【００６７】
この場合の前記端末の構成について、以下に説明する。〔前記受給者の端末（１０１）、及び前記分析装置（２０１）を使用する場合を例に説明する。〕
・  精度管理情報の受給者の端末（１０１）の構成について図４に基づいて説明する。
制御手段（５１）は、ＣＰＵ等から構成され、各部の制御、データの転送、種々の演算、データの一時的な格納等を行う。
入力制御手段（５２）は、ネットワークを通じて接続された前記サーバー（１０）、又は前記分析装置（２０１）から送信される精度管理用試料の測定値、又は精度管理情報等のデータを制御する。
出力制御手段（５３）は、前記サーバー（１０）に送信される精度管理用試料等のデータを制御する。
各記憶手段（５４〜６１）は、各々以下のファイルが格納され、記憶されている。
【００６８】
記憶手段（５４）には、メインプログラムが記憶されている。
このメインプログラムは、制御手段（５１）で用いられるものである。
前記メインプログラムを構成するプログラムとしては、例えば、以下のようなものを挙げることができる。
（ａ）  サーバー（１０）の「施設情報ファイル」（１５）、「測定機器ファイル」（１６）、「管理試料ファイル」（１７）、又は「測定項目ファイル」（１８）等における最新のデータ（情報）を、ネットワークを通じて取り込み、データ（情報）の更新を行うプログラム。
【００６９】
（ｂ−１）  前記端末（１０１）の表示部に、当該測定施設のＩＤ及びパスワードの入力を行えるようにした画面を表示させるプログラム。
（ｂ−２）  入力された当該測定施設のＩＤ及びパスワードの照合を行い、これらが予め登録されていた組み合わせのものであった場合には、前記端末（１０１）の表示部に対して、精度管理情報の受給者が所望する利用方法の選択を行える画面を表示させるプログラム。
【００７０】
（ｃ−１）  前記端末（１０１）の表示部に、精度管理情報の受給者が利用方法の選択を行える画面、すなわち日常（ルーチン）の内部精度管理及び／又は外部精度管理における精度管理情報の提供を求めるか、あるいは特定の参加者（精度管理情報の受給者）間の外部精度管理（「サーベイ」）における精度管理情報の提供を求めるかの選択を行える画面を表示させるプログラム。
（ｃ−２）  入力された利用方法に関するデータを取り込むプログラム。
（ｄ−１）  前記受給者が所望する処理を選択することができるメニュー画面（「測定値取込メニュー画面」）を前記端末（１０１）の表示部に表示させるプログラム。
（ｄ−２）  前記受給者により選択された処理を行うことができる画面を前記端末（１０１）の表示部に表示させるプログラム。
【００７１】
（ｅ−１）  精度管理用試料の測定値等のデータの入力、取り込みを、直接取込方式（例えば、ＲＳ２３２ｃ端子間をつないだ配線などにより直接取り込む等）により行うか、又は間接取込方式（例えば、フロッピーディスクなどの記録媒体に記録されている測定値などのデータを取り込む等）により行うかの選択、及び分析装置の機種名の選択を行えるようにした画面を、前記端末（１０１）の表示部に表示させるプログラム。
（ｆ−１）  前記受給者により「間接取込方式」（フロッピーディスクなどの記録媒体に記録されているデータの取り込み）が選択された場合、測定回数の入力、及び記録媒体より取り込みを行うデータの選択を行うことができる画面を前記端末（１０１）の表示部に表示させるプログラム。
（ｆ−２）  予め前記分析装置（２０１）において記録媒体に記録されていた精度管理用試料の測定値等のデータを、前記端末（１０１）に取り込むことを行うプログラム。
【００７２】
（ｇ−１）  前記受給者により「直接取込方式」（ＲＳ２３２ｃ端子間をつないだ配線等による取り込み）が選択された場合、取り込みの起動、停止、又は終了の選択を行うことができる画面を前記端末（１０１）の表示部に表示させるプログラム。
（ｇ−２）  前記分析装置（２０１）と前記端末（１０１）のＲＳ２３２ｃ端子間をつないだ配線等により、前記分析装置（２０１）から精度管理用試料の測定値等のデータを、前記端末（１０１）に取り込むプログラム。
（ｈ）  取り込まれた測定値等のデータにおいて、精度管理用試料に関するデータ、及び被検物質（測定項目）に関するデータについて、前記分析装置（２０１）におけるデータと前記端末（１０１）〔すなわちサーバー（１０）〕におけるデータとの関連付けを行うプログラム。
【００７３】
（ｉ）  取り込まれた精度管理用試料の測定値等のデータの中より精度管理用試料の測定値及びこれに関連するデータを選択するプログラム。
（ｊ−１）  取り込まれた精度管理用試料の測定値に関するデータを、前記端末（１０１）の表示部に表示させるプログラム。
（ｊ−２）  前記端末（１０１）の表示部に表示された精度管理用試料の測定値に関するデータの訂正、削除を行うことができるプログラム。
（ｋ）  前記端末（１０１）に取り込まれた精度管理用試料の測定値に関するデータを、サーバー（１０）に送信することができるプログラム。
（ｌ）  各データ、信号の入力に対応し、前記各プログラムなどの前記端末（１０１）における各プログラムの動作を統御し、進行させるプログラム。
【００７４】
この記憶手段（５４）には、前記サーバー（１０）、又は前記分析装置（２０１）より送信された前記の精度管理用試料の測定値又は精度管理情報等のデータが取り込まれ、一時的に記憶される。
記憶手段（５５）には、施設情報ファイルが記憶されている。
この施設情報ファイルは、当該測定施設に関するデータ（情報）が記憶されている。〔このデータ（情報）の内容は、前記サーバー（１０）の記憶手段（１５）と同様である。〕
記憶手段（５６）には、測定機器ファイルが記憶されている。
この測定機器ファイルは、当該測定施設において試料中の被検物質の測定に使用する分析装置に関するデータ（情報）が記憶されている。〔このデータ（情報）の内容は、前記サーバー（１０）の記憶手段（１６）と同様である。〕
【００７５】
記憶手段（５７）には、管理試料ファイルが記憶されている。
この管理試料ファイルは、当該測定施設の分析装置毎に作成され、精度管理用試料に関するデータ（情報）が記憶されている。〔このデータ（情報）の内容は、前記サーバー（１０）の記憶手段（１７）と同様である。〕
記憶手段（５８）には、測定項目ファイルが記憶されている。
この測定項目ファイルは、当該測定施設の分析装置毎に被検物質（測定項目）単位に作成され、当該測定施設における当該被検物質（測定項目）の測定に関するデータ（情報）が記憶されている。〔このデータ（情報）の内容は、前記サーバー（１０）の記憶手段（１８）と同様である。〕
【００７６】
記憶手段（５９）には、測定値ファイルが記憶されている。
この測定値ファイルは、当該測定施設の分析装置毎に被検物質（測定項目）単位に作成され、精度管理用試料の測定値及びこれに関するデータ（情報）が記憶されている。〔このデータ（情報）の内容は、前記サーバー（１０）の記憶手段（１９）と同様である。〕
記憶手段（６０）には、メンテナンスファイルが記憶されている。
このメンテナンスファイルは、当該測定施設（前記受給者）において設定された端末（１０１）の表示部に表示される画面の内容の色、記号の種類、文字の大きさ、若しくは文字のフォントなどの設定内容に関するデータ（情報）、前記した各種ファイルあるいは各種データ（情報）の変更、削除、複写、移動、バックアップ、圧縮、解凍、整理、変換、修復、最適化、解析、若しくは検索などに関するデータ（情報）、パスワードの変更などのセキュリティに関するデータ（情報）、この精度管理情報提供システムの使用記録に関するデータ（情報）、又はトラブルシューティングに関するデータ（情報）等が記憶されている。
【００７７】
更に、記憶手段（６１）には、コミュニケーションファイルが記憶されている。
このコミュニケーションファイルは、異なる前記受給者の端末（１０２、１０３、１０４…）との間、又は精度管理情報の提供者（サーバーの管理者）若しくは外部精度管理の主催者（管理者）のサーバー（１０）等との間で、意見交換などの交信を行った際の内容等のデータ（情報）が記憶されている。
なお、以上の各ファイルの各データ（情報）のうち、他のデータ（情報）と関連付ける（リンクする）必要があるものについては、参照するネットワーク上の行き先（リンク先）を示すデータ（情報）を付加しておく。
【００７８】
以下、本実施形態における動作の説明を個々の方式毎について説明する。
〔１〕  手入力方式
▲１▼  接続
前記端末（１０１、１０２、１０３、１０４…）は、各々サーバー（１０）とネットワークを介して接続されて通信を行い、いずれも精度管理情報の受給者の端末として機能するが、以下の手入力方式についての説明においては、前記端末（１０１）が前記サーバー（１０）にネットワークを介して接続されている場合を例に取り説明する。
まず、サーバー（１０）に、端末（１０１）がネットワークを通じて接続されると、制御手段（１１）は、この接続を入力制御手段（１２）を介して検出し、メインプログラムに従って端末（１０１）を制御する。
【００７９】
▲２▼  測定施設の照合及び利用方法の選択
サーバー（１０）の制御手段（１１）は、端末（１０１）の表示部に対して、図５に示すような測定施設照合のための画面を表示させ、精度管理情報の受給者（端末操作者）に対して、予め付与しておいた測定施設のＩＤ及びパスワードの入力を促す。
前記受給者は、前記画面上の測定施設のＩＤ及びパスワードの入力欄に、その測定施設のＩＤ及びパスワードをそれぞれ入力する。
そして、前記受給者は、測定施設のＩＤ及びパスワードを入力した後、前記画面上の「送信」の欄をマウスなどでクリック等する。
これにより、前記入力された測定施設のＩＤ及びパスワードは、端末（１０１）よりネットワークを通じてサーバー（１０）に送信される。
【００８０】
サーバー（１０）の制御手段（１１）は、前記の「送信」の欄がクリックされたことを検出することにより、前記入力された測定施設のＩＤ及びパスワードを、記憶手段（１４）に一時的に取り込む。
そして、制御手段（１１）において、記憶手段（１４）に一時的に取り込んだ測定施設のＩＤ及びパスワードの照合を行い、これらが予め登録されていた組み合わせのものであった場合には、制御手段（１１）は端末（１０１）の表示部に対して、図６に例示したような、前記受給者が利用方法の選択を行える画面、すなわち日常（ルーチン）の内部精度管理及び／又は外部精度管理における精度管理情報の提供を求めるか（『一般のご利用』）、あるいは特定の参加者（精度管理情報の受給者）間の外部精度管理（「サーベイ」）における精度管理情報の提供を求めるか（『サーベイのご利用』）の選択を行える画面を表示させる。そして、各利用方法より所望するものを選択するように促す。
【００８１】
前記受給者は、前記画面上の各利用方法より所望する利用方法を選択し、マウスなどによりクリック等して入力する。
そして次に、前記受給者は、前記画面上の「利用する」の欄をマウスなどでクリック等する。
これにより、前記入力された利用方法は、端末（１０１）よりネットワークを通じてサーバー（１０）に送信される。
サーバー（１０）の制御手段（１１）は、前記受給者により選択され送信された利用方法を検出し、これに応じた利用方法における、前記受給者が所望する処理の選択を行える画面（メニュー画面）を端末（１０１）の表示部に対して表示させる。
なお、入力された測定施設のＩＤ及びパスワードの照合を行い、これらが予め登録されていた組み合わせのものでなかった場合には、制御手段（１１）は端末（１０１）の表示部に対して、測定施設のＩＤ又はパスワードが誤っていることを知らせる画面を表示させ、その後再び、前記の測定施設照合のための画面を表示させる。
【００８２】
▲３▼  処理項目の選択
前記受給者（端末操作者）が、前記の利用方法の選択を行える画面上の「一般のご利用」を選択し、日常（ルーチン）の内部精度管理及び／又は外部精度管理における精度管理情報の提供を求める場合について、以下に説明する。
サーバー（１０）の制御手段（１１）は、前記受給者により選択され送信された利用方法「一般のご利用」を検出し、この利用方法における、前記受給者が所望する処理の選択を行える画面（メニュー画面）〔図７に例示〕を端末（１０１）の表示部に対して表示させる。
【００８３】
これにより、前記受給者に対して、当該測定施設のデータ（情報）に関する「施設情報登録」、「測定機器登録」、「管理試料登録」、若しくは「測定項目登録」；内部精度管理に関する「測定値入力」、「Ｘ−Ｒｓ管理図（日内管理）」、「Ｘ−Ｒｓ測定値一覧（日内管理）」、「Ｘｂａｒ−Ｒｓ−Ｒ管理図（日間管理）」、「Ｘｂａｒ−Ｒｓ−Ｒ測定値一覧（日間管理）」、若しくは「内部精度管理基準値登録」；外部精度管理に関する「分散図」、「Ｃｍ管理図」、若しくは「外部精度管理基準値登録」；又は当該測定施設における測定条件の切り替え（変更）に関する「切替実行」の各処理項目より所望するものを選択するように促す。
【００８４】
前記受給者は、前記メニュー画面上の各処理項目より所望する処理項目を選択し、マウスなどによりクリック等して入力する。
これにより、前記入力された処理項目は、端末（１０１）よりネットワークを通じてサーバー（１０）に送信される。
サーバー（１０）の制御手段（１１）は、前記受給者により選択され送信された処理項目を検出し、これに応じた処理項目の画面を端末（１０１）の表示部に対して表示させる。
【００８５】
▲４▼  測定施設に関するデータの登録
前記受給者（端末操作者）が、前記メニュー画面上の「施設情報登録」を選択し、新規に当該測定施設の登録を行う場合について、以下に説明する。
サーバー（１０）の制御手段（１１）は、前記受給者により選択され送信された処理項目「施設情報登録」を検出し、この測定施設に関するデータ（情報）の登録が行える画面（図８に例示）を端末（１０１）の表示部に対して表示させる。これにより、この測定施設の測定施設名、担当部署名、責任者名、担当者名、郵便番号、住所、所属地区、電話番号、ファクシミリ番号、電子メールアドレス、測定施設の種別、加入団体名、又はグループ名等のデータの入力を前記受給者に促す。
【００８６】
前記受給者は、前記画面上における各々のデータの入力欄に、文字を直接入力するか、又は該当する項目をマウスなどにより選択するか等して、それぞれのデータを入力する。そして、前記受給者は、必要なデータを入力した後、前記画面上の「更新」の欄をマウスなどでクリック等する。これにより、前記入力された各データは、端末（１０１）よりネットワークを通じてサーバー（１０）に送信される。サーバー（１０）の制御手段（１１）は、前記入力された各データが送信されてきたことを検出することにより、前記各データをサーバー（１０）の記憶手段（１５）の施設情報ファイルに取り込む。
【００８７】
そして、サーバー（１０）の制御手段（１１）は、この新規に登録された測定施設に対して、一つの測定施設毎に設定された測定施設コード番号を付与し、この測定施設コード番号を記憶手段（１５）の前記施設情報ファイルの当該測定施設の箇所に記憶させる。
また、サーバー（１０）の制御手段（１１）は、予め前記受給者に付与されていた測定施設のＩＤ及びパスワードを、記憶手段（１５）の前記施設情報ファイルの当該測定施設の箇所に記憶させるか又は関連付けてもよい（リンクさせてもよい）。
なお、前記のようにして入力を行った測定施設に関するデータを全て消去したい場合には、前記画面上の「クリア」の欄をマウスなどでクリック等する。
これにより、サーバー（１０）の制御手段（１１）は、既に入力された全てのデータを消去し、カーソルを先頭に位置付けする。
【００８８】
また、前記のようにして登録を行った測定施設に関するデータを変更したい場合には、前記受給者は、前記と同様にして変更を行いたいデータの入力を行い、前記画面上の「更新」の欄をマウスなどでクリック等する。
サーバー（１０）の制御手段（１１）は、既に入力され記憶されていたデータ項目について、再度データが入力されたことを検出することにより、先に記憶されていたデータに替えて新たに入力された前記データをサーバー（１０）の記憶手段（１５）の測定施設ファイルに取り込む。
なお、この測定施設に関するデータ（情報）の登録が行える画面の上方右側には、当該測定施設において新規に各情報（データ）の登録を行ってゆく場合の順序と現在の状況（位置）が、「施設情報」→「測定機器」→「管理試料」→「測定項目」→「完了」と表示されている。
【００８９】
サーバー（１０）の制御手段（１１）は、送信されてきた前記各データを記憶手段（１５）の施設情報ファイルに取り込んだ後、測定施設に関するデータ（情報）の登録が完了したことを知らせ、そして、分析装置に関するデータ（情報）の登録が行える画面に進むか、又は前記メニュー画面に戻るかの選択が行える画面（図９に例示）を端末（１０１）の表示部に対して表示させる。
これにより、前記受給者に対して、分析装置に関するデータの登録が行える画面に進むか、又は前記メニュー画面に戻るかの選択を促す。
前記受給者は、分析装置に関するデータの登録が行える画面に進む場合には「次へ」を、また、前記メニュー画面に戻る場合には「メニューへ」を、マウスなどによりクリック等して入力する。
そして、これは、端末（１０１）よりネットワークを通じてサーバー（１０）に送信される。
サーバー（１０）の制御手段（１１）は、前記受給者により選択され送信された選択肢を検出し、これに応じた画面を端末（１０１）の表示部に対して表示させる。
【００９０】
▲５▼  分析装置に関するデータの登録
前記受給者（端末操作者）が、当該測定施設における分析装置に関するデータの登録を行うため、前記のとおり測定施設に関するデータ（情報）の登録を行った後に分析装置に関するデータの登録を行うことを選択した場合、又は前記メニュー画面上の「測定機器登録」を選択した場合について、以下に説明する。
サーバー（１０）の制御手段（１１）は、前記受給者により選択され送信された処理項目「次へ」又は「測定機器」を検出し、当該測定施設において試料中の被検物質の測定に使用する分析装置に関するデータ（情報）の登録が行える画面（図１０に例示）を端末（１０１）の表示部に対して表示させる。
【００９１】
これにより、当該測定施設における、試料中の被検物質の測定に使用する分析装置毎の、製造販売元、機種名、納入年度、使用区分（メイン機又はサブ機の別、切り替え用であるか否かなど）、又は表示に使用する名称、などのデータ等の入力を前記受給者に促す。
前記受給者は、前記画面上における各々のデータの入力欄に、文字を直接入力するか、又は該当する項目をマウスなどにより選択するか等して、それぞれのデータを入力する。そして、前記受給者は、必要なデータを入力した後、前記画面上の「更新」の欄をマウスなどでクリック等する。これにより、前記入力された各データは、端末（１０１）よりネットワークを通じてサーバー（１０）に送信される。
【００９２】
そして、サーバー（１０）の制御手段（１１）は、前記入力された各データが送信されてきたことを検出することにより、前記各データをサーバー（１０）の記憶手段（１６）の測定機器ファイルに取り込む。なお、前記のようにして入力を行った分析装置に関するデータを全て消去したい場合には、前記画面上の「クリア」の欄をマウスなどでクリック等する。これにより、サーバー（１０）の制御手段（１１）は、既に入力された全てのデータを消去し、カーソルを先頭に位置付けする。
また、前記画面上の左側の欄において選択（指定）されている分析装置に関するデータ（情報）を全て削除したい場合には、前記画面上の「削除」の欄をマウスなどでクリック等する。サーバー（１０）の制御手段（１１）は、記憶されている当該分析装置に関するデータ（情報）を消去する。
【００９３】
なお、前記のようにして登録を行った分析装置に関するデータを変更したい場合には、前記受給者は、前記と同様にして変更を行いたいデータの入力を行い、前記画面上の「更新」の欄をマウスなどでクリック等する。
サーバー（１０）の制御手段（１１）は、既に入力され記憶されていたデータ項目について、再度データが入力されたことを検出することにより、先に記憶されていたデータに替えて新たに入力された前記データをサーバー（１０）の記憶手段（１６）の測定機器ファイルに取り込む。
なお、この分析装置に関するデータの登録を行った後、精度管理用試料に関するデータの登録を行いたい場合には、前記受給者は、前記画面上の「次へ」の欄をマウスなどでクリック等する。これは、端末（１０１）よりネットワークを通じてサーバー（１０）に送信され、サーバー（１０）の制御手段（１１）は、この指示を検出し、精度管理用試料に関するデータの登録を行える画面を端末（１０１）の表示部に対して表示させる。
【００９４】
▲６▼  精度管理用試料に関するデータの登録
前記受給者（端末操作者）が、当該測定施設における精度管理用試料に関するデータの登録を行うため、前記のとおり分析装置に関するデータ（情報）の登録を行った後に精度管理用試料に関するデータの登録を行うことを選択した場合、又は前記メニュー画面上の「管理試料登録」を選択した場合について、以下に説明する。
サーバー（１０）の制御手段（１１）は、前記受給者により選択され送信された処理項目「次へ」又は「管理試料登録」を検出し、当該測定施設における精度管理用試料に関するデータ（情報）の登録が行える画面（図１１に例示）を端末（１０１）の表示部に対して表示させる。
【００９５】
当該測定施設における、分析装置毎の、内部精度管理に使用する精度管理用試料の製品名、この製造番号（ロット番号）若しくはこの有効期限などのデータ（情報）、又は、外部精度管理に使用する精度管理用試料の製品名、この製造番号（ロット番号）若しくはこの有効期限などのデータ（情報）等の入力を前記受給者に促す。
前記受給者は、前記画面上における各々のデータの入力欄に、文字を直接入力するか、又は該当する項目をマウスなどにより選択するか等して、それぞれのデータを入力する。そして、前記受給者は、必要なデータを入力した後、前記画面上の「更新」の欄をマウスなどでクリック等する。
【００９６】
前記入力された各データは、端末（１０１）よりネットワークを通じてサーバー（１０）に送信される。そして、サーバー（１０）の制御手段（１１）は、前記入力された各データが送信されてきたことを検出することにより、前記各データをサーバー（１０）の記憶手段（１７）の管理試料ファイルに取り込む。
なお、前記のようにして入力を行った精度管理用試料に関するデータを全て消去したい場合には、前記画面上の「クリア」の欄をマウスなどでクリック等する。これにより、サーバー（１０）の制御手段（１１）は、既に入力された全てのデータを消去し、カーソルを先頭に位置付けする。
【００９７】
また、前記画面上の左側の欄において選択（指定）されている精度管理用試料に関するデータ（情報）を全て削除したい場合には、前記画面上の「削除」の欄をマウスなどでクリック等する。サーバー（１０）の制御手段（１１）は、記憶されている当該精度管理用試料に関するデータ（情報）を消去する。なお、前記のようにして登録を行った精度管理用試料に関するデータを変更したい場合には、前記受給者は、前記と同様にして変更を行いたいデータの入力を行い、前記画面上の「更新」の欄をマウスなどでクリック等する。
【００９８】
サーバー（１０）の制御手段（１１）は、既に入力され記憶されていたデータ項目について、再度データが入力されたことを検出することにより、先に記憶されていたデータに替えて新たに入力された前記データをサーバー（１０）の記憶手段（１７）の管理試料ファイルに取り込む。
また、前記登録を行った精度管理用試料に関するデータ（情報）の一覧表を画面上に表示させたい場合には、前記受給者は、前記画面上の左側の欄の「管理試料一覧へ」の欄をマウスなどでクリック等する。
これは、端末（１０１）よりネットワークを通じてサーバー（１０）に送信され、サーバー（１０）の制御手段（１１）は、この指示を検出し、精度管理用試料に関するデータ（情報）の一覧表の画面（図１２に例示）を端末（１０１）の表示部に対して表示させる。
【００９９】
なお、前記受給者が、この精度管理用試料に関するデータ（情報）の一覧表の画面を閉じたい場合には、前記画面上の「閉じる」をマウスなどによりクリック等する。
この指示は、端末（１０１）よりネットワークを通じてサーバー（１０）に送信され、サーバー（１０）の制御手段（１１）は、この指示を検出し、端末（１０１）の表示部に前記の精度管理用試料に関するデータ（情報）の登録が行える画面（図１１）を表示させる。
【０１００】
また、精度管理用試料に関するデータの登録を行った後、被検物質（測定項目）に関するデータの登録を行いたい場合には、前記受給者は、前記の精度管理用試料に関するデータ（情報）の登録が行える画面（図１１）の「次へ」の欄をマウスなどでクリック等する。
これは、端末（１０１）よりネットワークを通じてサーバー（１０）に送信され、サーバー（１０）の制御手段（１１）は、この指示を検出し、被検物質（測定項目）に関するデータの登録を行える画面を端末（１０１）の表示部に対して表示させる。
【０１０１】
▲７▼  被検物質の測定に関するデータの登録
前記受給者（端末操作者）が、当該測定施設における被検物質（測定項目）の測定に関するデータ（情報）の登録を行うため、前記のとおり精度管理用試料に関するデータ（情報）の登録を行った後に被検物質（測定項目）の測定に関するデータの登録を行うことを選択した場合、又は前記メニュー画面上の「測定項目登録」を選択した場合について、以下に説明する。
【０１０２】
サーバー（１０）の制御手段（１１）は、前記受給者により選択され送信された処理項目「次へ」又は「測定項目登録」を検出し、当該測定施設における被検物質（測定項目）の測定に関するデータ（情報）の登録が行える画面（図１３及び図１４に例示）を端末（１０１）の表示部に対して表示させる。
なお、図１３の右下側の欄をスクロールすることにより図１４で示した画面が現れる。
これにより、当該測定施設における、分析装置毎、かつ内部精度管理及び／若しくは外部精度管理に参加する被検物質名（測定項目名）毎の、精度管理に使用する精度管理用試料の製品名、この製造番号（ロット番号）、測定試薬の製造販売元、測定原理名（測定方法名）、校正に使用するキャリブレーターに関する情報、測定反応時の温度、検量方法、測定値の単位、小数点以下の桁数、又は基準範囲（正常値）などのデータ等の入力を前記受給者に促す。
前記受給者は、前記画面上の各々のデータの入力欄に、文字を直接入力するか、又は該当する項目をマウスなどにより選択するか等して、それぞれのデータを入力する。
【０１０３】
そして、前記受給者は、必要なデータを入力した後、前記画面上の「更新」の欄をマウスなどでクリック等する。
これにより、前記入力された各データは、端末（１０１）よりネットワークを通じてサーバー（１０）に送信される。
そして、サーバー（１０）の制御手段（１１）は、前記入力された各データが送信されてきたことを検出することにより、前記各データをサーバー（１０）の記憶手段（１８）の測定項目ファイルに取り込む。
なお、前記のようにして入力を行った被検物質（測定項目）の測定に関するデータを全て消去したい場合には、前記画面上の「クリア」の欄をマウスなどでクリック等する。
これにより、サーバー（１０）の制御手段（１１）は、既に入力された全てのデータを消去し、カーソルを先頭に位置付けする。
【０１０４】
また、前記画面上の左側の欄において選択（指定）されている被検物質（測定項目）の測定に関するデータ（情報）を全て削除したい場合には、前記画面上の「削除」の欄をマウスなどでクリック等する。
これにより、サーバー（１０）の制御手段（１１）は、記憶されている当該被検物質（測定項目）の測定に関するデータ（情報）を消去する。
なお、前記のようにして登録を行った被検物質（測定項目）の測定に関するデータを変更したい場合には、前記受給者は、前記と同様にして変更を行いたいデータの入力を行い、前記画面上の「更新」の欄をマウスなどでクリック等する。
サーバー（１０）の制御手段（１１）は、既に入力され記憶されていたデータ項目について、再度データが入力されたことを検出することにより、先に記憶されていたデータに替えて新たに入力された前記データをサーバー（１０）の記憶手段（１８）の測定項目ファイルに取り込む。
【０１０５】
また、前記登録を行った被検物質（測定項目）に関するデータ（情報）のうち、分析装置毎、かつ内部精度管理及び／若しくは外部精度管理に参加する被検物質名（測定項目名）毎の、測定試薬の製造販売元、測定原理名（測定方法名）、校正に使用するキャリブレーターに関する情報、測定反応時の温度、検量方法、測定値の単位、小数点以下の桁数、又は基準範囲（正常値）等のデータ（情報）の一覧表を画面上に表示させたい場合には、前記受給者は、前記画面上の左側欄の「測定項目一覧へ」の欄をマウスなどでクリック等する。
これは、端末（１０１）よりネットワークを通じてサーバー（１０）に送信され、サーバー（１０）の制御手段（１１）は、この指示を検出し、前記のデータ（情報）の一覧表の画面（図１５に例示）を端末（１０１）の表示部に対して表示させる。
【０１０６】
更に、前記登録を行った被検物質（測定項目）に関するデータ（情報）のうち、分析装置毎、かつ内部精度管理及び／若しくは外部精度管理に参加する被検物質名（測定項目名）毎の、精度管理に使用する精度管理用試料の製品名、又はこの製造番号（ロット番号）等のデータ（情報）の一覧表を画面上に表示させたい場合には、前記受給者は、前記画面上の左側の欄の「使用管理試料一覧へ」の欄をマウスなどでクリック等する。これは、端末（１０１）よりネットワークを通じてサーバー（１０）に送信され、サーバー（１０）の制御手段（１１）は、この指示を検出し、前記のデータ（情報）の一覧表の画面（図１６に例示）を端末（１０１）の表示部に対して表示させる。
【０１０７】
なお、前記受給者が、これらそれぞれの一覧表の画面を閉じたい場合には、前記各画面上の「閉じる」をマウスなどによりクリック等する。この指示は、端末（１０１）よりネットワークを通じてサーバー（１０）に送信され、サーバー（１０）の制御手段（１１）は、この指示を検出し、端末（１０１）の表示部に前記の被検物質（測定項目）の測定に関するデータ（情報）の登録が行える画面（図１３及び図１４）を表示させる。
【０１０８】
なお、被検物質（測定項目）に関するデータの登録を行った後、前記のメニュー画面に戻りたい場合には、前記受給者は、前記の被検物質（測定項目）の測定に関するデータ（情報）の登録が行える画面（図１３及び図１４）の「メニューへ」の欄をマウスなどでクリック等する。
この指示は、端末（１０１）よりネットワークを通じてサーバー（１０）に送信され、サーバー（１０）の制御手段（１１）は、この指示を検出し、前記のメニュー画面を端末（１０１）の表示部に対して表示させる。
【０１０９】
▲８▼  内部精度管理の基準値に関するデータの登録
前記受給者（端末操作者）が、当該測定施設における内部精度管理の基準値に関するデータ（情報）の登録を行うため、前記メニュー画面上の「内部精度管理基準値登録」を選択した場合について、以下に説明する。
【０１１０】
サーバー（１０）の制御手段（１１）は、前記受給者により選択され送信された処理項目「内部精度管理基準値登録」を検出し、当該測定施設における内部精度管理の基準値に関するデータ（情報）の登録が行える画面（図１７に例示）を端末（１０１）の表示部に対して表示させる。
これにより、当該測定施設における、分析装置毎及び被検物質（測定項目）毎の、内部精度管理に使用する精度管理用試料単位での、内部精度管理の各基準値に関するデータ（情報）の入力を前記受給者に促す。前記受給者は、前記画面上の各々のデータの入力欄に、文字を直接入力するか、又は該当する項目をマウスなどにより選択するか等して、それぞれのデータを入力する。そして、前記受給者は、必要なデータを入力した後、前記画面上の「更新」の欄をマウスなどでクリック等する。
【０１１１】
これにより、前記入力された各データは、端末（１０１）よりネットワークを通じてサーバー（１０）に送信される。そして、サーバー（１０）の制御手段（１１）は、前記入力された各データが送信されてきたことを検出することにより、前記各データをサーバー（１０）の記憶手段（２０）の内部精度管理情報ファイルに取り込む。なお、前記のようにして入力を行った内部精度管理の基準値に関するデータ（情報）を全て消去したい場合には、前記画面上の「クリア」の欄をマウスなどでクリック等する。
【０１１２】
これにより、サーバー（１０）の制御手段（１１）は、既に入力された全てのデータを消去し、カーソルを先頭に位置付けする。
また、精度管理用試料が異なる製造番号（ロット番号）のものに切り替え中である場合、試験データを元にして基準値の計算を行いたい場合には、前記画面上の「再計算」の欄をマウスなどでクリック等する。
これにより、サーバー（１０）の制御手段（１１）は、試験データを元にして基準値の計算をする。
【０１１３】
▲９▼  外部精度管理の基準値に関するデータの登録
前記受給者（端末操作者）、精度管理情報の提供者（サーバーの管理者）、又は外部精度管理の主催者（管理者）が、外部精度管理の基準値のデータ（情報）の登録を行うため、前記メニュー画面上の「外部精度管理基準値登録」を選択した場合について、以下に説明する。
【０１１４】
サーバー（１０）の制御手段（１１）は、前記受給者により選択され送信された処理項目「外部精度管理基準値登録」を検出し、当該外部精度管理の基準値のデータ（情報）の登録が行える画面（図１８に例示）を端末（１０１）の表示部に対して表示させる。
これにより、当該外部精度管理における、被検物質（測定項目）毎の、外部精度管理に使用する精度管理用試料単位での、外部精度管理の各基準値のデータの入力を前記受給者に促す。
前記受給者は、前記画面上の各々のデータの入力欄に、文字を直接入力するか、又は該当する項目をマウスなどにより選択等して、それぞれのデータを入力する。
そして、前記受給者は、必要なデータを入力した後、前記画面上の「更新」の欄をマウスなどでクリック等する。
【０１１５】
これにより、前記入力された各データは、端末（１０１）よりネットワークを通じてサーバー（１０）に送信される。
そして、サーバー（１０）の制御手段（１１）は、前記入力された各データが送信されてきたことを検出することにより、前記各データをサーバー（１０）の記憶手段（２１）の外部精度管理情報ファイルに取り込む。
なお、前記のようにして入力を行った外部精度管理の基準値のデータを全て消去したい場合には、前記画面上の「クリア」の欄をマウスなどでクリック等する。
これにより、サーバー（１０）の制御手段（１１）は、既に入力された全てのデータを消去し、カーソルを先頭に位置付けする。
【０１１６】
また、精度管理用試料が異なる製造番号（ロット番号）のものに切り替え中である場合、試験データを元にして基準値の計算を行いたい場合には、前記画面上の「再計算」の欄をマウスなどでクリック等する。
これにより、サーバー（１０）の制御手段（１１）は、試験データを元にして基準値の計算を行う。
【０１１７】
▲１０▼  精度管理用試料の測定値の入力、取り込み作業、
前記受給者（端末操作者）が、前記メニュー画面上の「測定値入力」を選択し、精度管理用試料の測定値等のデータの入力を行う場合について、以下に説明する。
サーバー（１０）の制御手段（１１）は、前記受給者により選択され送信された処理項目「測定値入力」を検出し、当該測定施設における精度管理用試料の測定値等のデータの入力を行える画面（図１９に例示）を端末（１０１）の表示部に対して表示させる。
これにより、測定月日毎、更に分析装置毎の、被検物質（測定項目）単位での、各々の精度管理用試料の測定値などのデータ（情報）等の入力を前記受給者に促す。
【０１１８】
前記受給者は、前記画面上の各々のデータの入力欄に、文字を直接入力するか、又は該当する項目をマウスなどにより選択するか等して、それぞれのデータを入力する。そして、前記受給者は、必要なデータを入力した後、前記画面上の「更新」の欄をマウスなどでクリック等する。
これにより、前記入力された各データは、端末（１０１）よりネットワークを通じてサーバー（１０）に送信される。そして、サーバー（１０）の制御手段（１１）は、前記入力された各データが送信されてきたことを検出することにより、前記各データをサーバー（１０）の記憶手段（１９）の測定値ファイルに取り込む。
【０１１９】
なお、前記のようにして入力を行い前記画面の各測定値の欄に表示されている精度管理用試料の測定値のデータを全て消去したい場合には、前記画面上の「クリア」の欄をマウスなどでクリック等する。
これにより、サーバー（１０）の制御手段（１１）は、表示されている測定値を消去し、カーソルを先頭に位置付けする。
また、前記画面上の左側の欄において選択（指定）されている被検物質（測定項目）についての精度管理用試料の測定値のデータ（情報）を全て削除したい場合には、前記画面上の「削除」の欄をマウスなどでクリック等する。
これにより、サーバー（１０）の制御手段（１１）は、記憶されている当該測定値のデータ（情報）を消去する。
【０１２０】
なお、前記のようにして登録を行った精度管理用試料の測定値のデータを変更したい場合には、前記受給者は、前記と同様にして変更を行いたいデータの入力を行い、前記画面上の「更新」の欄をマウスなどでクリック等する。
サーバー（１０）の制御手段（１１）は、既に入力され記憶されていたデータ項目について、再度データが入力されたことを検出することにより、先に記憶されていたデータに替えて新たに入力された前記データをサーバー（１０）の記憶手段（１９）の測定値ファイルに取り込む。
【０１２１】
▲１１▼  内部精度管理情報の作成、提供
サーバー（１０）における内部精度管理の精度管理情報の作成、及びこの精度管理情報の前記受給者への提供について、以下に説明する。
前記受給者（端末操作者）が、当該測定施設の内部精度管理における精度管理情報の提供を受ける場合、前記受給者は前記メニュー画面上の内部精度管理に関する処理項目を選択し、この欄をマウスなどでクリック等する。
なお、本実施態様においては、日内精度管理を選択する場合にはこの日内精度管理に適した精度管理情報である「Ｘ−Ｒｓ管理図（日内管理）」を前記メニュー画面上において選択し、日間精度管理を選択する場合にはこの日間精度管理に適した精度管理情報である「Ｘｂａｒ−Ｒｓ−Ｒ管理図（日間管理）」を選択する。
【０１２２】
次に、サーバー（１０）の制御手段（１１）は、前記受給者により選択され送信された処理項目「Ｘ−Ｒｓ管理図（日内管理）」、又は「Ｘｂａｒ−Ｒｓ−Ｒ管理図（日間管理）」を検出し、この種別に応じた精度管理情報の作成を行う。
例えば、前記受給者が前記メニュー画面上の処理項目「Ｘ−Ｒｓ管理図（日内管理）」を選択し、この欄がマウスなどでクリック等された場合、サーバー（１０）の制御手段（１１）は、前記の「Ｘ−Ｒｓ管理図（日内管理）」の欄がクリック等されたことを検出して、サーバー（１０）の記憶手段（１９）の測定値ファイルに取り込まれている精度管理用試料の測定値（この測定値は内部精度管理情報の提供先となる一測定施設〔当該測定施設〕のもの）を、記憶手段（１４）に記憶されているメインプログラム中の「内部精度管理における精度管理情報を作成するプログラム（Ｍ−１）」の「日内精度管理における精度管理情報を作成するプログラム」（Ｘ−Ｒｓ管理図法をコンピュータにより実施できるようにしたプログラム）により、統計処理を行い、及び／又は管理図を作成して、当該測定施設の内部精度管理の精度管理情報のうちの日内精度管理における精度管理情報（Ｘ−Ｒｓ管理図）を作成する。
【０１２３】
同様にして、サーバー（１０）の制御手段（１１）は、処理項目「Ｘｂａｒ−Ｒｓ−Ｒ管理図（日間管理）」が選択された場合には、「内部精度管理における精度管理情報を作成するプログラム（Ｍ−１）」の「日間精度管理における精度管理情報を作成するプログラム」（Ｘｂａｒ−Ｒｓ−Ｒ管理図法をコンピュータにより実施できるようにしたプログラム）により、日間精度管理における精度管理情報（Ｘｂａｒ−Ｒｓ−Ｒ管理図）を作成する。
【０１２４】
なお、前記の内部精度管理の精度管理情報を作成するプログラムとしては、Ｘ−Ｒｓ管理図法、Ｘｂａｒ−Ｒｓ−Ｒ管理図法、Ｘｂａｒ−Ｒ管理図法、Ｘｂａｒ−ｓ管理図法、Ｘｂａｒ−Ｒ−Ｓ管理図法、累積和法、Ｃｍ管理図法、双値法（ツインプロット法）〔Ｙｏｕｄｅｎプロット法、及びＴｏｎｋｓ法〕、マルチルール管理法（ウエストガード法）、又は臼井法（プラスマイナス管理図法）等の公知の精度管理情報作成手法をコンピュータにより実施できるようにした公知のプログラム等を挙げることができ、適したものを選択し用いればよい。
【０１２５】
また、前記内部精度管理の精度管理情報の作成は、以下のように行うこともできる。
（Ａ）  当該測定施設における精度管理用試料の複数回の測定値を、サーバー（１０）の記憶手段（１９）の測定値ファイルに取り込み蓄積し、これら複数の測定値よりなる母集団を形成する。
（Ｂ）  そして、サーバー（１０）の記憶手段（１９）の測定値ファイルに取り込まれている当該測定施設でのある時の測定値、及び／又は記他手段（１９）の測定値ファイルに取り込まれている前記形成された測定値の母集団について、統計処理を行い、及び／又は管理図を作成して、当該測定施設における内部精度管理の精度管理情報の作成を行う。
作成した当該測定施設における内部精度管理の精度管理情報の提供について以下に説明する。
【０１２６】
サーバー（１０）の制御手段（１１）は、作成した当該測定施設における内部精度管理の精度管理情報をサーバー（１０）の記憶手段（２０）の内部精度管理情報ファイルに取り込む。
なお、サーバー（１０）の制御手段（１１）は、これらの作成された当該測定施設における内部精度管理の精度管理情報等のデータ（情報）を取り込んでいる内部精度管理情報ファイルに、この測定施設の測定施設名、又は測定施設コード番号をも記憶させるか又は関連付けてもよい（リンクさせてもよい）。
次に、サーバー（１０）の制御手段（１１）は、前記の通り作成し、記憶手段（２０）の内部精度管理情報ファイルに取り込んだ当該施設の内部精度管理の精度管理情報を前記受給者の端末（１０１）に送信し、提供を行う。
これにより、前記受給者は、この提供された精度管理情報を、その端末（１０１）の表示部に例えば図２０〔日内精度管理の精度管理情報（Ｘ−Ｒｓ管理図）〕、又は図２１〔日間精度管理の精度管理情報（Ｘｂａｒ−Ｒｓ−Ｒ管理図）〕のような画面として表示させたり、印刷したり、又は記憶手段に記憶させたりすることができる。
【０１２７】
そして、以上のようにして提供された内部精度管理の精度管理情報により、前記受給者は、当該測定施設における試料中の被検物質の測定の信頼性を確かめることができるのである。
なお、前記の内部精度管理の精度管理情報の作成に用いた数値（データ）の一覧表を画面上に表示させたい場合には、前記受給者は、前記各画面上の左側の欄の「Ｘ−Ｒｓ測定値一覧へ」、又は「Ｘｂａｒ−Ｒｓ−Ｒ測定値一覧へ」の欄をマウスなどでクリック等する。これは、端末（１０１）よりネットワークを通じてサーバー（１０）に送信され、サーバー（１０）の制御手段（１１）は、この指示を検出し、前記の各数値（データ）の一覧表の画面（図２２〔Ｘ−Ｒｓ測定値一覧〕、図２３〔Ｘｂａｒ−Ｒｓ−Ｒ測定値一覧〕に例示）を端末（１０１）の表示部に対して表示させる。
【０１２８】
また、画面に日内精度管理の精度管理情報「Ｘ−Ｒｓ管理図」（図２０）を表示させている時に、日間精度管理の精度管理情報「Ｘｂａｒ−Ｒｓ−Ｒ管理図」を画面に表示させたい場合には、前記受給者は、前記画面上の左側の欄の「Ｘｂａｒ−Ｒｓ−Ｒ管理図へ」の欄をマウスなどでクリック等する。
サーバー（１０）の制御手段（１１）は、これを検出し、前記のＸｂａｒ−Ｒｓ−Ｒ管理図の画面（図２１）を端末（１０１）の表示部に対して表示させる。（「Ｘｂａｒ−Ｒｓ−Ｒ管理図」を表示させている時に、「Ｘ−Ｒｓ管理図」を表示させたい場合も同様である。）
【０１２９】
▲１２▼  外部精度管理情報の作成、提供
サーバー（１０）における外部精度管理の精度管理情報の作成、及びこの精度管理情報の前記受給者（端末操作者）への提供について、以下に説明する。
前記受給者が、当該測定施設の外部精度管理における精度管理情報の提供を受ける場合、前記受給者は前記メニュー画面上の外部精度管理に関する処理項目を選択し、この欄をマウスなどでクリック等する。
なお、本実施態様においては、外部精度管理における精度管理情報の提供を受ける場合、「分散図」、又は「Ｃｍ管理図」を前記メニュー画面上において選択する。
次に、サーバー（１０）の制御手段（１１）は、前記受給者により選択され送信された処理項目「分散図」、又は「Ｃｍ管理図」を検出し、この種別に応じた精度管理情報の作成を行う。
【０１３０】
例えば、前記受給者が前記メニュー画面上の処理項目「分散図」を選択し、この欄がマウスなどでクリック等された場合、サーバー（１０）の制御手段（１１）は、前記の「分散図」の欄がクリック等されたことを検出して、外部精度管理における精度管理情報である分散図の表示が行える画面（図２４に例示）を端末（１０１）の表示部に対して表示させる。
これにより、当該測定施設における外部精度管理の、対象期間毎の、並びに使用した精度管理用試料の製品名及び製造番号（ロット番号）毎の、更に分析装置毎の、被検物質名（測定項目名）単位での、外部精度管理（又はサーベイ）を行う都道府県名、地区名若しくはグループ名、分析装置の製造販売元、分析装置の機種名、測定原理名（測定方法名）、校正に使用するキャリブレーターに関する情報、又は検量方法などのデータ（情報）等の入力を前記受給者に促す。
【０１３１】
前記受給者は、前記画面上の各々のデータの入力欄に、文字を直接入力するか、又は該当する項目をマウスなどにより選択するか等して、それぞれのデータを入力する。そして、前記受給者は、必要なデータを入力した後、前記画面の右側の欄の「検索」の欄をマウスなどでクリック等する。これにより、前記入力された各データは、端末（１０１）よりネットワークを通じてサーバー（１０）に送信される。
そして、サーバー（１０）の制御手段（１１）は、前記入力された各データが送信されてきたことを検出することにより、前記各データの条件を満たす管理用試料の測定値等のデータを記憶手段（１９）の測定値ファイルより選択し、これらのデータを、記憶手段（１４）に記憶されているメインプログラム中の「外部精度管理における精度管理情報を作成するプログラム（Ｍ−２）」の「分散図を作成するプログラム」（分散図法をコンピュータにより実施できるようにしたプログラム）により、統計処理を行い、及び／又は管理図を作成して、当該測定施設の外部精度管理の精度管理情報のうちの分散図を作成する。
【０１３２】
同様にして、サーバー（１０）の制御手段（１１）は、処理項目「Ｃｍ管理図」が選択された場合には、Ｃｍ管理図の表示が行える画面（図２７に例示）を端末（１０１）の表示部に対して表示させ、そしてこの画面において前記の分散図の場合と同様にして必要なデータが入力された場合には、「外部精度管理における精度管理情報を作成するプログラム（Ｍ−２）」の「Ｃｍ管理図を作成するプログラム」（Ｃｍ管理図法をコンピュータにより実施できるようにしたプログラム）により、外部精度管理の精度管理情報のうちのＣｍ管理図を作成する。
なお、前記の外部精度管理の精度管理情報を作成するプログラムとしては、外部精度管理における公知の精度管理情報作成手法、例えば、外部精度管理に参加する各測定施設における、精度管理用試料の測定値を、測定法（測定原理）等毎にまとめて、複数の測定値よりなる母集団の形成を行い、次に、この複数の測定値の母集団の平均値（Ｍ）及び標準偏差（ＳＤ）を算出し、そして、外部精度管理の精度管理情報の提供を行う当該測定施設における精度管理用試料の測定値を、評価基準（例えば、当該測定施設における測定値が「Ｍ±ＳＤ」の範囲内に入っている場合は評価「Ａ」とする等）に当てはめて、各測定施設の評価（精度管理情報）を作成するなどの手法等を、コンピュータにより実施できるようにした公知のプログラム等を挙げることができる。
【０１３３】
更に、前記の外部精度管理の精度管理情報を作成するプログラムとしては、Ｃｍ管理図法、又は分散図法等の公知の精度管理情報作成手法をコンピュータにより実施できるようにした公知のプログラム等を挙げることができる。
また、前記の外部精度管理の精度管理情報の作成は、以下のように行っても良い。
（Ａ）  外部精度管理に参加する各測定施設における精度管理用試料の測定値を、サーバー（１０）の記憶手段（１９）の測定値ファイルに取り込み蓄積し、これら複数の測定値よりなる母集団を形成する。
（Ｂ）  そして、サーバー（１０）の記憶手段（１９）の測定値ファイルに取り込まれている当該測定施設での測定値、及び／又は記憶手段（１９）の測定値ファイルに取り込まれている前記形成された測定値の母集団について、統計処理を行い、及び／又は管理図を作成して、当該測定施設の外部精度管理の精度管理情報の作成を行う。
【０１３４】
作成した当該測定施設における外部精度管理の精度管理情報の提供について以下に説明する。
サーバー（１０）の制御手段（１１）は、作成した当該測定施設における外部精度管理の精度管理情報をサーバー（１０）の記憶手段（２１）の外部精度管理情報ファイルに取り込む。
なお、サーバー（１０）の制御手段（１１）は、これらの作成された当該測定施設における外部精度管理の精度管理情報等のデータを取り込んでいる外部精度管理情報ファイルに、この測定施設の測定施設名、又は測定施設コード番号をも記憶させるか又は関連付けてもよい（リンクさせてもよい）。
次に、サーバー（１０）の制御手段（１１）は、前記の通り作成し、記憶手段（２１）の外部精度管理情報ファイルに取り込んだ当該施設の外部精度管理の精度管理情報を前記受給者の端末（１０１）に送信し、提供を行う。
【０１３５】
これにより、前記受給者は、この提供された精度管理情報を、その端末（１０１）の表示部に例えば図２５〔分散図〕及び図２６〔分散図法における数値（データ）の一覧表〕、又は図２８〔Ｃｍ管理図〕、図２９及び図３０〔いずれもＣｍ管理図法における数値（データ）の一覧表〕のような画面として表示させたり、印刷したり、又は記憶手段に記憶させたりすることができる。
そして、以上のようにして提供された外部精度管理の精度管理情報により、前記受給者は、当該測定施設の試料中の被検物質の測定の信頼性を確かめることができるのである。
なお、前記の分散図の表示が行える画面（図２４）の右下側の部分に、作成された分散図（図２５）が表示され、この部分の画面をスクロールすることにより図２６で示した画面〔分散図法における数値（データ）の一覧表〕が現れる。
また、同様に、前記のＣｍ管理図の表示が行える画面（図２７）の右下側の部分に、作成されたＣｍ管理図（図２８）が表示される。
そして、この部分の画面をスクロールすることにより、前記のＣｍ管理図の表示が行える画面（図２７）で「グラフ集計単位」を「日付」とした場合には図２９で示した画面が現れ、「グラフ集計単位」を「施設」とした場合には図３０で示した画面が現れる。〔いずれもＣｍ管理図法における数値（データ）の一覧表〕
【０１３６】
▲１３▼  条件の切り替え
当該測定施設における分析装置、精度管理用試料、又は被検物質（測定項目）等の切り替え（変更）に伴い、各データ（情報）を変更前のものから変更後のものに移行させることについて、以下に説明する。
前記受給者（端末操作者）が、前記条件の切り替え（変更）に伴い、各データを変更前のものから変更後のものに移行させる場合、前記受給者は前記メニュー画面上の「切替実行」を選択し、この欄をマウスなどでクリック等する。
サーバー（１０）の制御手段（１１）は、前記受給者により選択され送信された処理項目「切替実行」を検出し、各データの移行を行わせることができる画面を前記端末（１０１）の表示部に表示させる。
例えば、分析装置の切り替え（変更）を行う場合、各データの移行を行うことができる画面（図３１に例示）において、「コピー元」の欄に変更前の分析装置の機種名を入力し、「コピー先」の欄に変更後の分析装置の機種名を入力する。
【０１３７】
そしてその後、前記受給者が、前記画面上の「切替実行」の欄をマウスなどでクリック等することにより、前記入力された各データは、端末（１０１）よりネットワークを通じてサーバー（１０）に送信される。
そして、サーバー（１０）の制御手段（１１）は、これを検出することにより、変更前の分析装置に関連付け（リンク）されていたデータを、変更後の分析装置に関連付け（リンク）を行う。
【０１３８】
▲１４▼  メンテナンス
前記受給者（端末操作者）が、処理項目「メンテナンス」を選択し、前記受給者が、データ（情報）や各種設定のメンテナンス、又はトラブルシューティング等を行う場合について、以下に説明する。
サーバー（１０）の制御手段（１１）は、前記受給者により選択され送信された処理項目「メンテナンス」を検出することにより、端末（１０１）の表示部に対して、メンテナンス等のための画面を表示させ、前記受給者に対して、処理を行おうとする項目（「処理項目」）の選択を促す。
ここで、処理項目「ファイル、データのメンテナンス」が選択された場合、前記した各ファイル、各データについて、変更、削除、複写、移動、バックアップ、圧縮、解凍、整理、変換、修復、最適化、解析、又は検索等を行うことができる。
また、処理項目「ユーザー設定」が選択された場合、前記受給者の端末（１０１）の表示部に表示される画面の内容の色、記号の種類、文字の大きさ、又は文字のフォント等の設定を各受給者独自のものに設定することができる。そして、処理項目「セキュリティ」が選択された場合、前記したパスワード等の変更を行うことができる。
【０１３９】
更に、処理項目「使用記録」が選択された場合、前記受給者における、今までのこの精度管理情報提供システムの使用記録等の表示ができる。
また、処理項目「トラブルシューティング」が選択された場合、各操作の説明、よくある質問とその回答、若しくは解決のためのヒントなどの表示、精度管理情報の提供者（サーバーの管理者）などへの交信、又は、サポートツール、メンテナンスツール、若しくはオプションツールなどのダウンロード等を行うことができる。
前記受給者は、前記画面上の各処理項目より所望する処理項目を選択し、マウスなどによりクリック等して入力する。これにより、前記入力された処理項目は、端末（１０１）よりネットワークを通じてサーバー（１０）に送信される。サーバー（１０）の制御手段（１１）は、前記受給者により選択され送信された処理項目を検出し、これに応じた処理項目の画面を端末（１０１）の表示部に対して表示させる。そして、前記受給者は、各処理項目の画面において、所望の操作、処理を行う。
【０１４０】
▲１５▼  コミュニケーション
前記受給者（端末操作者）が、処理項目「コミュニケーション」を選択し、前記受給者が、精度管理に参加する他の受給者、精度管理情報の提供者（サーバーの管理者）、又は外部精度管理の主催者（管理者）等との間で、意見交換、質疑応答、又は連絡等の交信を行う場合について、以下に説明する。
サーバー（１０）の制御手段（１１）は、前記受給者により選択され送信された処理項目「コミュニケーション」を検出することにより、端末（１０１）の表示部に対して、前記交信の交信先選択のための画面を表示させ、前記受給者に対して、交信先（例えば、精度管理に参加する全測定施設、精度管理情報の提供者（サーバー管理者）若しくは外部精度管理の主催者（管理者）、又は、交信を行おうとする測定施設名、団体名、グループ名、若しくはこれらの測定施設コード番号等）に関するデータ（情報）の選択を促す。
【０１４１】
なお、交信先は一つだけでなく、複数であっても良い。
前記受給者は、前記画面上の各々のデータの入力欄に、文字を直接入力するか、又は該当する項目をマウスなどにより選択するか等して、交信先を入力、又は選択する。
これにより、前記入力された交信先に関するデータは、ネットワークを通じてサーバー（１０）に送信される。
サーバー（１０）の制御手段（１１）は、前記送信された交信先に関するデータを検出することにより、交信内容の入力を行うことができる画面を端末（１０１）の表示部に対して表示させる。これにより、交信先への交信内容の入力を前記受給者に促す。
前記受給者は、前記画面上の交信内容の入力欄に、文字を直接入力するか、又は該当する項目をマウスなどにより選択するか等して、交信内容を入力する。これにより、前記入力された交信内容のデータは、ネットワークを通じてサーバー（１０）に送信される。
【０１４２】
サーバー（１０）の制御手段（１１）は、交信内容のデータが送信されたことを検出し、この交信内容のデータをネットワークを通じて前記交信先の端末（１０２、１０３、１０４…等）に送信するか、又は送信先のサーバー（１０）の記憶手段（１４）若しくはコミュニケーションファイル（２３）等に取り込む。そして、交信先の端末（１０２、１０３、１０４…等）又はサーバー（１０）においては、発信元、交信先、又は交信内容等のデータを表示部に表示させたり、又は取り込み、記憶が行われる。
なお、この送信元と交信先（複数も可）との交信は、同時に双方向で行うことができる。そして、交信にかかわる各データは、サーバー（１０）のコミュニケーションファイル（２３）に取り込まれ、記憶される。
以上のようにして、異なる前記受給者の端末（１０１、１０２、１０３、１０４…）の間、又は前記受給者の端末（１０１、１０２、１０３、１０４…）と精度管理情報の提供者（サーバーの管理者）若しくは外部精度管理の主催者（管理者）のサーバー等との間で、意見交換などの交信を行うことができる。
【０１４３】
〔２〕  間接取込方式
▲１▼  端末のメインプログラムの起動
間接取込方式においては、前記分析装置（２０１、２０２、２０３、２０４、２０５、２０６…）は、サーバー（１０）及び前記の精度管理情報の受給者の端末（１０１、１０２、１０３、１０４…）のいずれとも接続されておらず、前記分析装置（２０１、２０２、２０３、２０４、２０５、２０６…）で得られた精度管理用試料の測定値等のデータは記録媒体に記録され、この記録媒体より前記データが各々前記端末（１０１、１０２、１０３、１０４…）に取り込まれ、そしてネットワークを介して接続された前記サーバー（１０）に送信されるが、以下の間接取込方式についての説明においては、前記端末（１０１）が前記サーバー（１０）にネットワークを介して接続されているものの、前記分析装置（２０１）は前記端末（１０１）及び前記サーバー（１０）のいずれとも接続されておらず、前記分析装置（２０１）で得られた精度管理用試料の測定値等のデータは記録媒体に記録され、この記録媒体より前記データが前記端末（１０１）に取り込まれ、そしてネットワークを介して接続された前記サーバー（１０）に送信される場合を例に取り説明をする。
まず、端末（１０１）の記憶手段（５４）のメインプログラムを起動させることにより、端末（１０１）の制御手段（５１）は、測定施設照合のための画面を表示部に表示させる。
【０１４４】
▲２▼  測定施設の照合、サーバーからのデータの取り込み及び利用方法の選択
端末（１０１）の表示部に表示された、図３２に示すような測定施設照合のための画面により、前記の精度管理情報の受給者（端末操作者）に対して、予め付与しておいた測定施設のＩＤ及びパスワードの入力を促す。
前記受給者は、前記画面上の測定施設のＩＤ及びパスワードの入力欄に、その測定施設のＩＤ及びパスワードをそれぞれ入力する。
そして、前記受給者は、測定施設のＩＤ及びパスワードを入力した後、前記画面上の「ログイン」の欄をマウスなどでクリック等する。
端末（１０１）の制御手段（５１）は、前記の「ログイン」の欄がクリックされたことを検出することにより、前記入力された測定施設のＩＤ及びパスワードを、記憶手段（５４）に一時的に取り込む。
【０１４５】
そして、制御手段（５１）において、記憶手段（５４）に一時的に取り込んだ測定施設のＩＤ及びパスワードの照合を行い、これらが予め登録されていた組み合わせのものであった場合、制御手段（５１）は端末（１０１）をネットワークを通じてサーバー（１０）に接続させる。
そして、端末（１０１）の制御手段（５１）は、サーバー（１０）の制御手段（１１）と協同して、サーバー（１０）の「施設情報ファイル」（１５）、「測定機器ファイル」（１６）、「管理試料ファイル」（１７）、及び「測定項目ファイル」（１８）等に記憶されている最新のデータ（情報）を、サーバー（１０）よりネットワークを通じて端末（１０１）に送信し、これらのデータ（情報）を端末（１０１）の記憶手段（５４）に取り込む。
【０１４６】
そして、端末（１０１）の制御手段（５１）は、これらのサーバー（１０）より送信され取り込んだ最新のデータ（情報）と、端末（１０１）の「施設情報ファイル」（５５）、「測定機器ファイル」（５６）、「管理試料ファイル」（５７）、及び「測定項目ファイル」（５８）等に記憶されているデータ（情報）とを照合し、両者間で異なっているデータ（情報）については、端末（１０１）側のデータ（情報）をサーバー（１０）側のデータ（情報）に置き換えて、端末（１０１）の「施設情報ファイル」（５５）、「測定機器ファイル」（５６）、「管理試料ファイル」（５７）、又は「測定項目ファイル」（５８）等にそれぞれ記憶させる。その後、端末（１０１）の制御手段（５１）は、端末（１０１）とサーバー（１０）とのネットワーク上の接続を切断する。
【０１４７】
次に、端末（１０１）の制御手段（５１）は、表示部に対して、図３３に例示したような、前記受給者が利用方法の選択を行える画面、すなわち日常（ルーチン）の内部精度管理及び／又は外部精度管理における精度管理情報の提供を求めるか（『一般のご利用』）、あるいは特定の参加者（精度管理情報の受給者）間の外部精度管理（「サーベイ」）における精度管理情報の提供を求めるか（『サーベイのご利用』）の選択を行える画面を表示させる。そして、前記受給者に対して各利用方法より所望するものを選択するように促す。前記受給者は、前記メニュー画面上の各利用方法より所望する利用方法を選択し、マウスなどによりクリック等して入力する。端末（１０１）の制御手段（５１）は、前記受給者により選択された利用方法を検出し、このデータを記憶手段（５４）に取り込む。
【０１４８】
次に、前記受給者が前記両面上の「メニューへ」の欄をマウスなどによりクリック等することにより、端末（１０１）の制御手段（５１）はこれを検出し、前記の選択された利用方法における、前記受給者が所望する処理の選択を行える画面（測定値取込メニュー画面）を表示部に対して表示させる。
なお、前記受給者が、操作を終了させたい場合には、前記画面上の「終了」を選択し、この欄をマウスなどでクリック等する。端末（１０１）の制御手段（５１）は、これを検出し、記憶手段（５４）のメインプログラムを終了させる。
なお、入力された測定施設のＩＤ及びパスワードの照合を行い、これらが予め登録されていた組み合わせのものでなかった場合には、制御手段（５１）は表示部に対して、測定施設のＩＤ又はパスワードが誤っていることを知らせる画面を表示させ、その後再び、前記の測定施設照合のための画面を表示させる。
【０１４９】
▲３▼  処理項目の選択
（Ａ）  測定値等のデータの取り込みに関する処理項目の選択
精度管理用試料の測定値等のデータ（情報）を、間接取込方式又は直接取込方式により取り込む場合について、以下に説明する。
制御手段（５１）は、前記受給者（端末操作者）により選択された利用方法を検出することにより、これに応じた利用方法における、前記受給者が所望する処理の選択を行える画面〔測定値取込メニュー画面〕（図３４に例示）を表示部に対して表示させる。これにより、前記受給者に対して、「測定値データ取込み（ＲＳ２３２ｃ／ＦＤ）」、「クライアントＤＢに更新」、「測定値入力／確認」、「測定データアップロード」、又は「測定データダウンロード」の各処理項目より所望するものを選択するように促す。
【０１５０】
前記受給者は、前記の測定値取込メニュー画面上の各処理項目より所望する処理項目を選択し、マウスなどによりクリック等して入力する。端末（１０１）の制御手段（５１）は、前記受給者により選択された処理項目を検出し、これに応じた処理項目の画面を表示部に対して表示させる。
なお、前記受給者が、操作をここで終了させたい場合には、前記画面上の「終了」を選択し、この欄をマウスなどでクリック等する。端末（１０１）の制御手段（５１）は、これを検出し、記憶手段（５４）のメインプログラムを終了させる。
【０１５１】
（Ｂ）  データの取り込み以外の処理項目の選択
「精度管理用試料の測定値等のデータ（情報）を取り込む処理」以外の処理項目の選択については、前記の「〔１〕手入力方式」の記載と同様に操作を行い、この「〔１〕手入力方式」の「▲３▼  処理項目の選択」の項に記載した「メニュー画面」（図７）により、この項に記載した手順に従って行えばよい。
▲４▼  データの取り込み方法の選択
前記の「▲３▼  処理項目の選択」の「（Ａ）  測定値等のデータの取り込みに関する処理項目の選択」の項における、「測定値取込メニュー画面」（図３４）において、前記受給者（端末操作者）が「測定値データ取込み（ＲＳ２３２ｃ／ＦＤ）」を選択し、精度管理用試料の測定値等のデータ（情報）の取り込み方法の選択を行う場合について、以下に説明する。
【０１５２】
端末（１０１）の制御手段（５１）は、前記受給者により選択された処理項目「測定値データ取込み（ＲＳ２３２ｃ／ＦＤ）」を検出し、精度管理用試料の測定値等のデータの取り込み方法の選択、及び分析装置の機種名の選択を行える画面（図３５に例示）を表示部に表示させる。これにより、精度管理用試料の測定値等のデータの取り込みを、前記の直接取込方式により行うか、又は前記の間接取込方式により行うかの選択、及び精度管理試料の測定を行った分析装置の機種名の選択を、前記受給者に促す。
前記受給者は、直接取込方式により取り込みを行う場合には前記画面上の「自動（ＲＳ２３２ｃ通信）」の欄をマウスなどでクリック等し、間接取込方式により取り込みを行う場合には前記画面上の「手動（フロッピーディスク）」の欄をマウスなどでクリック等する。
【０１５３】
更に、前記受給者は、精度管理用試料の測定を行った前記分析装置（２０１）の機種名を選択又は入力する。
続いて、前記受給者が前記画面上の「次へ」の欄をマウスなどによりクリック等することにより、端末（１０１）の制御手段（５１）はこれを検出し、前記の選択された取り込み方法における、測定値等のデータの取り込みを行える画面を表示部に対して表示させる。なお、前記受給者が、この操作を終了させ、前記の「測定値取込メニュー画面」に戻りたい場合には、前記画面上の「キャンセル」を選択し、この欄をマウスなどでクリック等する。端末（１０１）の制御手段（５１）は、これを検出し、表示部に前記の「測定値取込メニュー画面」（図３４）を表示させる。
【０１５４】
▲５▼  データの取り込み
前記受給者（端末操作者）が、前記測定値等のデータの取り込み方法を選択できる画面において「手動（フロッピーディスク）」を選択し、間接取込方式により精度管理用試料の測定値等のデータ（情報）の取り込みを行う場合について、以下に説明する。なお、この間接取込方式により精度管理用試料の測定値等のデータの取り込みを行う場合には、前記分析装置（２０１）で得られた精度管理用試料の測定値等のデータが記録された記録媒体（フロッピーディスク）が、端末（１０１）の記録媒体（フロッピーディスク）の読み取り装置（フロッピーディスク・ドライブ）にセットされている必要がある。
【０１５５】
まず、端末（１０１）の制御手段（５１）は、前記受給者により選択された取り込み方法「手動（フロッピーディスク）」を検出し、間接取込方式により精度管理用試料の測定値等のデータの取り込みを行える画面（図３６に例示）を表示部に表示させる。これにより、データの取り込みを行う精度管理用試料の測定値がその日の何回目の測定のものであるかの選択、並びにデータの取り込み行うドライブ名、フォルダ名、及びファイル名等の選択を、前記受給者に促す。
前記受給者は、前記画面上の各々データの選択（入力）欄に、該当する項目をマウスなどにより選択するか、文字を直接入力等して、それぞれのデータを選択（入力）する。
次に、前記受給者が前記画面上の「ＯＫ」の欄をマウスなどによりクリック等することにより、端末（１０１）の制御手段（５１）はこれを検出し、精度管理用試料の測定値等のデータが記録された記録媒体（フロッピーディスク）より精度管理用試料の測定値等のデータを、端末（１０１）の記憶手段（５９）の測定値ファイルに取り込む。なお、前記受給者が、この間接取込方式によりデータの取り込みを行える画面を閉じたい場合には、前記画面上の「キャンセル」を選択し、この欄をマウスなどでクリック等する。端末（１０１）の制御手段（５１）は、これを検出し、表示部に前記の「測定値取込メニュー画面」（図３４）を表示させる。
【０１５６】
▲６▼  取り込んだ測定値等のデータの関連付け処理
前記の「▲３▼  処理項目の選択」の「（Ａ）  測定値等のデータの取り込みに関する処理項目の選択」の項における、「測定値取込メニュー画面」（図３４）において、前記受給者が「クライアントＤＢに更新」を選択し、取り込んだ測定値等のデータについて、前記分析装置（２０１）におけるデータと端末（１０１）〔すなわちサーバー（１０）〕におけるデータとの関連付け処理を行う場合について、以下に説明する。端末（１０１）の制御手段（５１）は、前記受給者（端末操作者）により選択された処理項目「クライアントＤＢに更新」を検出し、取り込んだデータ（情報）の関連付け処理を行える画面（図３７に例示）を表示部に表示させる。
【０１５７】
これにより、精度管理用試料の測定を行った前記分析装置（２０１）の機種名の選択（入力）、及び端末（１０１）の測定機器ファイル（５６）〔すなわちサーバー（１０）の測定機器ファイル（１６）〕に登録してある前記分析装置（２０１）の当該機種名（Ｗｅｂ測定機名）の選択（入力）を、前記受給者に促す。前記受給者は、前記画面上の各々のデータの選択（入力）欄に、該当する項目をマウスなどにより選択するか、文字を直接入力等して、それぞれのデータを選択（入力）する。
続いて、前記受給者が前記画面上の「更新」の欄をマウスなどによりクリック等することにより、端末（１０１）の制御手段（５１）はこれを検出し、前記の記憶手段（５９）の測定値ファイルに取り込んだ精度管理用試料の測定値等のデータについて、端末（１０１）の測定機器ファイル（５６）〔すなわちサーバー（１０）の測定機器ファイル（１６）〕に登録してある前記分析装置（２０１）の当該機種名（「Ｗｅｂ測定機名」）に関連付けた後、再度、端末（１０１）の記憶手段（５９）の測定値ファイルに取り込む。
【０１５８】
なお、精度管理用試料に関するデータについて関連付け処理を行いたい場合は、前記画面上の「管理試料」の欄をマウスなどでクリック等し、また、被検物質（測定項目）に関するデータについて関連付け処理を行いたい場合は、前記画面上の「測定項目」の欄をマウスなどでクリック等する。端末（１０１）の制御手段（５１）は、これを検出し、入力された事項に応じ、精度管理用試料に関するデータについて関連付け処理を行うことができる画面、又は被検物質（測定項目）に関するデータについて関連付け処理を行うことができる画面を、それぞれ表示部に表示させる。
なお、前記受給者が、このデータの関連付けを行える画面を閉じたい場合には、前記画面上の「終了」を選択し、この欄をマウスなどでクリック等する。
端末（１０１）の制御手段（５１）は、これを検出し、表示部に前記の「測定値取込メニュー画面」（図３４）を表示させる。
【０１５９】
▲７▼  精度管理用試料に関するデータの関連付け処理
前記のデータの関連付けを行える画面（図３７）において、「管理試料」の欄をマウスなどでクリック等して、精度管理用試料に関するデータ（情報）について関連付け処理を行う場合について、以下に説明する。
端末（１０１）の制御手段（５１）は、前記受給者（端末操作者）により「管理試料」が入力されたことを検出し、精度管理用試料に関するデータについて関連付け処理を行うことができる画面（図３８に例示）を表示部に表示させる。
【０１６０】
これにより、端末（１０１）の管理試料ファイル（５７）〔すなわちサーバー（１０）の管理試料ファイル（１７）〕に登録してある精度管理用試料の名称（「ＷＥＢ側管理試料名」）の選択と、これに対応する、測定を行った前記分析装置（２０１）における精度管理用試料の名称（「施設側関連キー」）の入力を、前記受給者に促す。
前記受給者は、前記画面上の各々のデータの選択（入力）欄に、該当する項目をマウスなどにより選択するか、文字を直接入力等して、それぞれのデータを選択（入力）する。続いて、前記受給者が前記画面上の「更新」の欄をマウスなどによりクリック等することにより、端末（１０１）の制御手段（５１）はこれを検出し、前記の記憶手段（５９）の測定値ファイルに取り込んだ精度管理用試料の測定値等のデータについて、端末（１０１）の管理試料ファイル（５７）〔すなわちサーバー（１０）の管理試料ファイル（１７）〕に登録してある精度管理用試料の名称（「ＷＥＢ側管理試料名」）と、これに対応する、測定を行った前記分析装置（２０１）における精度管理用試料の名称（「施設側関連キー」）とを関連付けた後、再度、端末（１０１）の記憶手段（５９）の測定値ファイルに取り込む。
【０１６１】
また、前記画面上において選択（入力）を行った、端末（１０１）に登録してある精度管理用試料の名称（「ＷＥＢ側管理試料名」）と、これに対応する、前記分析装置（２０１）における精度管理用試料の名称（「施設側関連キー」）を、全て削除したい場合には、前記画面上の「一括削除」の欄をマウスなどでクリック等する。これにより、端末（１０１）の制御手段（５１）は、表示されているデータを消去する。
なお、前記受給者が、この精度管理用試料に関するデータの関連付けを行える画面を閉じたい場合には、前記画面上の「終了」を選択し、この欄をマウスなどでクリック等する。端末（１０１）の制御手段（５１）は、これを検出し、表示部に前記の「測定値取込メニュー画面」（図３４）を表示させる。
【０１６２】
▲８▼  被検物質（測定項目）に関するデータの関連付け処理
前記のデータの関連付けを行える画面（図３７）において、「測定項目」の欄をマウスなどでクリック等して、被検物質（測定項目）に関するデータ（情報）について関連付け処理を行う場合について、以下に説明する。
端末（１０１）の制御手段（５１）は、前記受給者（端末操作者）により「測定項目」が入力されたことを検出し、被検物質（測定項目）に関するデータについて関連付け処理を行うことができる画面（図３９に例示）を表示部に表示させる。これにより、端末（１０１）の測定項目ファイル（５８）〔すなわちサーバー（１０）の測定項目ファイル（１８）〕に登録してある被検物質（測定項目）の名称（「ＷＥＢ側測定項目名」）の選択と、これに対応する、測定を行った前記分析装置（２０１）における被検物質（測定項目）の名称（「施設側関連キー」）の入力を、前記受給者に促す。
【０１６３】
前記受給者は、前記画面上の各々のデータの選択（入力）欄に、該当する項目をマウスなどにより選択するか、文字を直接入力等して、それぞれのデータを選択（入力）する。続いて、前記受給者が前記画面上の「更新」の欄をマウスなどによりクリック等することにより、端末（１０１）の制御手段（５１）はこれを検出し、前記の記憶手段（５９）の測定値ファイルに取り込んだ精度管理用試料の測定値等のデータについて、端末（１０１）の測定項目ファイル（５８）〔すなわちサーバー（１０）の測定項目ファイル（１８）〕に登録してある被検物質（測定項目）の名称（「ＷＥＢ側測定項目名」）と、これに対応する、測定を行った前記分析装置（２０１）における被検物質（測定項目）の名称（「施設側関連キー」）とを関連付けた後、再度、端末（１０１）の記憶手段（５９）の測定値ファイルに取り込む。
【０１６４】
また、前記画面上において選択（入力）を行った、端末（１０１）に登録してある被検物質（測定項目）の名称（「ＷＥＢ側測定項目名」）と、これに対応する、前記分析装置（２０１）における被検物質（測定項目）の名称（「施設側関連キー」）を、全て削除したい場合には、前記画面上の「一括削除」の欄をマウスなどでクリック等する。これにより、端末（１０１）の制御手段（５１）は、表示されているデータを消去する。なお、前記受給者が、この被検物質（測定項目）に関するデータの関連付けを行える画面を閉じたい場合には、前記画面上の「終了」を選択し、この欄をマウスなどでクリック等する。端末（１０１）の制御手段（５１）は、これを検出し、表示部に前記の「測定値取込メニュー画面」（図３４）を表示させる。
【０１６５】
▲９▼  取り込んだ測定値の選択、確認及び変更
前記の「▲３▼  処理項目の選択」の「（Ａ）  測定値等のデータの取り込みに関する処理項目の選択」の項における、「測定値取込メニュー画面」（図３４）において、前記受給者が「測定値入力／確認」を選択し、取り込んだ測定値のデータの選択、確認、及び変更（訂正）を行う場合について、以下に説明する。
端末（１０１）の制御手段（５１）は、前記受給者（端末操作者）により選択された処理項目「測定値入力／確認」を検出し、取り込んだ精度管理用試料の測定値等のデータの選択、確認、及び変更（訂正）が行える画面（図４０に例示）を表示部に表示させる。
これにより、表示させようとする精度管理用試料の測定値等についての、測定を行った年月日、測定を行った分析装置（２０１）の機種名、及びその測定がその日の何回目の測定であるかの選択（入力）等を、前記受給者に促す。
【０１６６】
前記受給者は、前記画面上の各々データの選択（入力）欄に、該当する項目をマウスなどにより選択するか、文字を直接入力等して、それぞれのデータを選択（入力）する。続いて、前記受給者が前記画面上の「検索」の欄をマウスなどによりクリック等することにより、端末（１０１）の制御手段（５１）はこれを検出し、記憶手段（５９）の測定値ファイルに取り込まれ記憶されたデータ（情報）より前記条件に該当する精度管理用試料の測定値を選択し、表示部に表示させる。なお、前記の表示部に表示された精度管理用試料の測定値のデータを変更（訂正）したい場合には、前記受給者は、その変更したい測定値のデータの欄に変更後の測定値のデータを入力する。そしてその後、前記画面の下段の「更新」の欄をマウスなどでクリック等する。端末（１０１）の制御手段（５１）は、これを検出し、先に記憶されていた測定値のデータに替えて、新たに入力された測定値のデータを記憶手段（５９）の測定値ファイルに取り込み、記憶させる。
また、前記の表示部に表示された精度管理用試料の測定値のデータを、全て削除したい場合には、前記画面の下段の「一括削除」の欄をマウスなどでクリック等する。これにより、端末（１０１）の制御手段（５１）は、表示されている精度管理用試料の測定値のデータを消去する。そして、前記受給者が、この取り込んだ測定値の選択、確認及び変更を行える画面を閉じたい場合には、前記画面の下段の「終了」を選択し、この欄をマウスなどでクリック等する。端末（１０１）の制御手段（５１）は、これを検出し、表示部に前記の「測定値取込メニュー画面」（図３４）を表示させる。
【０１６７】
▲１０▼  取り込んだデータのサーバーへの送信
前記の「▲３▼  処理項目の選択」の「（Ａ）  測定値等のデータの取り込みに関する処理項目の選択」の項における、「測定値取込メニュー画面」（図３４）において、前記受給者が「測定データアップロード」を選択し、取り込んだ精度管理用試料の測定値に関するデータを、端末（１０１）からサーバー（１０）へ送信する場合について、以下に説明する。
端末（１０１）の制御手段（５１）は、前記受給者（端末操作者）により選択された処理項目「測定データアップロード」を検出し、取り込んだ精度管理用試料の測定値に関するデータ（情報）を、端末（１０１）からサーバー（１０）へ送信することができる画面（図４１に例示）を表示部に表示させる。これにより、前記測定値に関するデータをサーバー（１０）に送信するか、又はこの画面を閉じるかの選択を、前記受給者に促す。
【０１６８】
まず、前記受給者が、この取り込んだデータのサーバーへの送信を行える画面を閉じたい場合には、前記画面上の「終了」を選択し、この欄をマウスなどでクリック等する。端末（１０１）の制御手段（５１）は、これを検出し、表示部に前記の「測定値取込メニュー画面」（図３４）を表示させる。また、前記受給者が、前記の記憶手段（５９）の測定値ファイルに取り込み記憶させた精度管理用試料の測定値に関するデータを端末（１０１）からサーバー（１０）に送信したい場合には、前記画面上の「送信」の欄をマウスなどでクリック等する。端末（１０１）の制御手段（５１）は、これを検出することにより、端末（１０１）をネットワークを通じてサーバー（１０）に接続させる。
【０１６９】
次に、サーバー（１０）への接続後、端末（１０１）の制御手段（５１）は、前記の記憶手段（５９）の測定値ファイルに取り込み記憶させた精度管理用試料の測定値等のデータから、精度管理用試料の測定値及びこれに関連するデータ（情報）〔すなわち精度管理用試料の測定値に関するデータ〕を選択し、これらのデータ（情報）をネットワークを通じてサーバー（１０）に送信する。そして、サーバー（１０）の制御手段（１１）は、前記の精度管理用試料の測定値に関するデータが端末（１０１）から送信されてきたことを検出することにより、前記各データをサーバー（１０）の記憶手段（１９）の測定値ファイルに取り込む。前記の精度管理用試料の測定値に関するデータのサーバー（１０）への送信が完了した後、端末（１０１）の制御手段（５１）は、端末（１０１）とサーバー（１０）とのネットワーク上の接続を切断する。
【０１７０】
▲１１▼  サーバーからのデータの取り込み
前記の「▲３▼  処理項目の選択」の「（Ａ）  測定値等のデータの取り込みに関する処理項目の選択」の項における、「測定値取込メニュー画面」（図３４）において、前記受給者が「施設データダウンロード」を選択し、当該測定施設における測定に関するデータ（情報）を、サーバー（１０）から端末（１０１）に取り込む場合について、以下に説明する。
端末（１０１）の制御手段（５１）は、前記受給者（端末操作者）により選択された処理項目「施設データダウンロード」を検出し、当該測定施設における測定に関するデータ（情報）を、随時、サーバー（１０）から端末（１０１）に取り込むことができる画面（図４２に例示）を表示部に表示させる。
【０１７１】
これにより、当該測定施設における測定に関するデータ（情報）を取り込むか、又はこの画面を閉じるかの選択を、前記受給者に促す。
前記受給者が、当該測定施設における測定に関するデータをサーバー（１０）から端末（１０１）に取り込みたい場合には、前記画面上の「はい（Ｙ）」の欄をマウスなどでクリック等する。端末（１０１）の制御手段（５１）は、これを検出することにより、端末（１０１）をネットワークを通じてサーバー（１０）に接続させる。そして、端末（１０１）の制御手段（５１）は、サーバー（１０）の制御手段（１１）と協同して、サーバー（１０）の「施設情報ファイル」（１５）、「測定機器ファイル」（１６）、「管理試料ファイル」（１７）、及び「測定項目ファイル」（１８）等に記憶されている最新のデータ（情報）を、サーバー（１０）よりネットワークを通じて端末（１０１）に送信し、これらのデータ（情報）を端末（１０１）の記憶手段（５４）に取り込む。
【０１７２】
そして、端末（１０１）の制御手段（５１）は、これらのサーバー（１０）より送信され取り込んだ最新のデータ（情報）と、端末（１０１）の「施設情報ファイル」（５５）、「測定機器ファイル」（５６）、「管理試料ファイル」（５７）、及び「測定項目ファイル」（５８）等に記憶されているデータ（情報）とを照合し、両者間で異なっているデータ（情報）については、端末（１０１）側のデータ（情報）をサーバー（１０）側のデータ（情報）に置き換えて、端末（１０１）の「施設情報ファイル」（５５）、「測定機器ファイル」（５６）、「管理試料ファイル」（５７）、又は「測定項目ファイル」（５８）等にそれぞれ記憶させる。
その後、端末（１０１）の制御手段（５１）は、端末（１０１）とサーバー（１０）とのネットワーク上の接続を切断する。
前記受給者が、この当該測定施設における測定に関するデータ（情報）のサーバー（１０）からの取り込みを行える画面を閉じたい場合には、前記画面上の「いいえ（Ｎ）」を選択し、この欄をマウスなどでクリック等する。端末（１０１）の制御手段（５１）は、これを検出し、表示部に前記の「測定値取込メニュー画面」（図３４）を表示させる。
【０１７３】
▲１２▼  測定施設に関するデータの登録
新規に当該測定施設の登録を行うことについては、前記の「〔１〕手入力方式」の記載と同様に操作を行い、この「〔１〕手入力方式」の「▲４▼  測定施設に関するデータの登録」の項に記載した手順に従って行えばよい。
▲１３▼  分析装置に関するデータの登録
当該測定施設における分析装置に関するデータの登録を行うことについては、前記の「〔１〕手入力方式」の記載と同様に操作を行い、この「〔１〕手入力方式」の「▲５▼  分析装置に関するデータの登録」の項に記載した手順に従って行えばよい。
▲１４▼  精度管理用試料に関するデータの登録
当該測定施設における精度管理用試料に関するデータの登録を行うことについては、前記の「〔１〕手入力方式」の記載と同様に操作を行い、この「〔１〕手入力方式」の「▲６▼  精度管理用試料に関するデータの登録」の項に記載した手順に従って行えばよい。
【０１７４】
▲１５▼  被検物質の測定に関するデータの登録
当該測定施設における被検物質（測定項目）に関するデータの登録を行うことについては、前記の「〔１〕手入力方式」の記載と同様に操作を行い、この「〔１〕手入力方式」の「▲７▼  被検物質の測定に関するデータの登録」の項に記載した手順に従って行えばよい。
▲１６▼  内部精度管理の基準値に関するデータの登録
当該測定施設における内部精度管理の基準値に関するデータ（情報）の登録を行うことについては、前記の「〔１〕手入力方式」の記載と同様に操作を行い、この「〔１〕手入力方式」の「▲８▼  内部精度管理の基準値に関するデータの登録」の項に記載した手順に従って行えばよい。
▲１７▼  外部精度管理の基準値に関するデータの登録
外部精度管理の基準値に関するデータ（情報）の登録を行うことについては、前記の「〔１〕手入力方式」の記載と同様に操作を行い、この「〔１〕手入力方式」の「▲９▼  外部精度管理の基準値に関するデータの登録」の項に記載した手順に従って行えばよい。
【０１７５】
▲１８▼  内部精度管理情報の作成、提供
内部精度管理の精度管理情報の作成、及びこの精度管理情報の前記受給者（端末操作者）への提供については、前記の「〔１〕手入力方式」の記載と同様に操作を行い、この「〔１〕手入力方式」の「▲１１▼  内部精度管理情報の作成、提供」の項に記載した手順に従って行えばよい。
▲１９▼  外部精度管理情報の作成、提供
外部精度管理の精度管理情報の作成、及びこの精度管理情報の前記受給者（端末操作者）への提供については、前記の「〔１〕手入力方式」の記載と同様に操作を行い、この「〔１〕手入力方式」の「▲１２▼  外部精度管理情報の作成、提供」の項に記載した手順に従って行えばよい。
【０１７６】
▲２０▼  条件の切り替え、メンテナンス、コミュニケーション
当該測定施設における分析装置、精度管理用試料、又は被検物質（測定項目）等の切り替え（変更）に伴い、各データを変更前のものから変更後のものに移行させることについては、前記の「〔１〕手入力方式」の記載と同様に操作を行い、この「〔１〕手入力方式」の「▲１３▼  条件の切り替え」の項に記載した手順に従って行えばよい。また、データや各種設定のメンテナンス、又はトラブルシューティング等を行うことについては、前記の「〔１〕手入力方式」の記載と同様に操作を行い、この「〔１〕手入力方式」の「▲１４▼  メンテナンス」の項に記載した手順に従って行えばよい。そして、精度管理に参加する他の受給者、精度管理情報の提供者（サーバーの管理者）、又は外部精度管理の主催者（管理者）等との間で、意見交換、質疑応答、又は連絡等の交信を行う場合については、前記の「〔１〕手入力方式」の記載と同様に操作を行い、この「〔１〕手入力方式」の「▲１５▼  コミュニケーション」の項に記載した手順に従って行えばよい。
【０１７７】
〔３〕  直接取込方式
▲１▼  端末のメインプログラムの起動
直接取込方式においては、前記分析装置（２０１、２０２、２０３、２０４、２０５、２０６…）は、各々サーバー（１０）とネットワークを介して接続されて通信を行い、各々の測定施設における精度管理用試料の測定値等のデータを出力し、サーバー（１０）に送信する。
〔なお、場合により、前記分析装置（２０１、２０２、２０３、２０４、２０５、２０６…）は、ネットワーク、前記端末（１０１、１０２、１０３、１０４…）、前記コンピュータ（３０１、３０２、３０３…）、及び／又は前記分配器（４０１、４０２、４０３…）を介して前記サーバー（１０）と接続されて通信を行い、前記測定値等のデータを出力し、前記サーバー（１０）に送信する。〕しかし、以下の直接取込方式についての説明においては、分析装置（２０１）が、分配器（４０１）、端末（１０１）、及びネットワークを介して、サーバー（１０）に接続されていて、かつ、コンピュータ（３０１）が前記分配器（４０１）を介して前記分析装置（２０１）に接続されており、前記分析装置（２０１）より出力された精度管理用試料の測定値等のデータが前記分配器（４０１）で複製され、前記端末（１０１）及び前記コンピュータ（３０１）に各々送られる場合を例に取り説明をする。
【０１７８】
まず、前記端末（１０１）の記憶手段（５４）のメインプログラムを起動させることにより、端末（１０１）の制御手段（５１）は、測定施設照合のための画面を表示部に表示させる。
▲２▼  測定施設の照合、サーバーからのデータの取り込み及び利用方法の選択
測定施設の照合、サーバーからのデータの取り込み、及び利用方法の選択を行うことについては、前記の「〔２〕間接取込方式」の記載に従って操作を行い、この「〔２〕間接取込方式」の「▲２▼  測定施設の照合、サーバーからのデータの取り込み及び利用方法の選択」の項に記載した手順に従って行えばよい。
【０１７９】
▲３▼  処理項目の選択
（Ａ）  測定値等のデータの取り込みに関する処理項目の選択
精度管理用試料の測定値等のデータ（情報）の取り込みに関する処理項目の選択については、前記の「〔２〕間接取込方式」の記載に従って操作を行い、この「〔２〕間接取込方式」の「▲３▼  処理項目の選択」の項に記載した「測定値取込メニュー画面」（図３４）により、この項に記載した手順に従って行えばよい。
（Ｂ）  データの取り込み以外の処理項目の選択
精度管理用試料の測定値等のデータ（情報）を取り込む処理以外の処理項目の選択については、前記の「〔１〕手入力方式」の記載に従って操作を行い、この「〔１〕手入力方式」の「▲３▼  処理項目の選択」の項に記載した「メニュー画面」（図７）により、この項に記載した手順に従って行えばよい。
▲４▼  データの取り込み方法の選択
精度管理用試料の測定値等のデータ（情報）の取り込み方法の選択を行うことについては、前記の「〔２〕間接取込方式」の記載に従って操作を行い、この「〔２〕間接取込方式」の「▲４▼  データの取り込み方法の選択」の項に記載した手順に従って行えばよい。
【０１８０】
▲５▼  データの取り込み
前記受給者（端末操作者）が、前記の測定値等のデータの取り込み方法を選択できる画面（図３５）において「自動（ＲＳ２３２ｃ通信）」を選択し、直接取込方式により精度管理用試料の測定値等のデータ（情報）の取り込みを行う場合について、以下に説明する。
まず、端末（１０１）の制御手段（５１）は、前記受給者により選択された取り込み方法「自動（ＲＳ２３２ｃ通信）」を検出し、精度管理用試料の測定値等のデータの取り込みを行える画面（図４３に例示）を表示部に表示させる。
これにより、精度管理用試料の測定値等のデータの取り込み処理、データの取り込みの停止処理、又は前記画面を閉じる処理の選択を、前記受給者に促す。
前記受給者が測定値等のデータの取り込み処理を所望する場合には、前記受給者が前記画面上の「起動／再開」の欄をマウスなどによりクリック等することにより、端末（１０１）の制御手段（５１）はこれを検出し、分析装置（２０１）から出力された精度管理用試料の測定値等のデータを、分析装置（２０１）のＲＳ２３２ｃ端子から分配器（４０１）を介して端末（１０１）のＲＳ２３２ｃ端子につながれた配線を通じて受け取り、このデータを端末（１０１）の記憶手段（５９）の測定値ファイルに取り込む。
【０１８１】
なお、前記受給者が、この直接取込方式による前記の測定値等のデータの取り込みを終了させる場合には、前記画面上の「停止」を選択し、この欄をマウスなどでクリック等する。端末（１０１）の制御手段（５１）は、これを検出し、端末（１０１）の記憶手段（５９）の測定値ファイルへのデータの取り込みを停止する。なお、前記受給者が、この直接取込方式によりデータの取り込みを行える画面を閉じたい場合には、前記画面上の「終了」を選択し、この欄をマウスなどでクリック等する。端末（１０１）の制御手段（５１）は、これを検出し、表示部に前記の「測定値取込メニュー画面」（図３４）を表示させる。
【０１８２】
▲６▼  取り込んだ測定値等のデータの関連付け処理
前記の取り込んだ精度管理用試料の測定値等のデータについて、前記分析装置（２０１）におけるデータと端末（１０１）〔すなわちサーバー（１０）〕におけるデータとの関連付け処理を行うことについては、前記の「〔２〕間接取込方式」の記載と同様に操作を行い、この「〔２〕間接取込方式」の「▲６▼  取り込んだ測定値等のデータの関連付け処理」の項に記載した手順に従って行えばよい。
▲７▼  精度管理用試料に関するデータの関連付け処理
精度管理用試料に関するデータ（情報）について関連付け処理を行うことについては、前記の「〔２〕間接取込方式」の記載と同様に操作を行い、この「〔２〕間接取込方式」の「▲７▼  精度管理用試料に関するデータの関連付け処理」の項に記載した手順に従って行えばよい。
【０１８３】
▲８▼  被検物質（測定項目）に関するデータの関連付け処理
被検物質（測定項目）に関するデータ（情報）について関連付け処理を行うことについては、前記の「〔２〕間接取込方式」の記載と同様に操作を行い、この「〔２〕間接取込方式」の「▲８▼  被検物質（測定項目）に関するデータの関連付け処理」の項に記載した手順に従って行えばよい。
▲９▼  取り込んだ測定値の選択、確認及び変更
取り込んだ測定値等のデータの選択、確認、及び変更（訂正）を行うことについては、前記の「〔２〕間接取込方式」の記載と同様に操作を行い、この「〔２〕間接取込方式」の「▲９▼  取り込んだ測定値の選択、確認及び変更」の項に記載した手順に従って行えばよい。
【０１８４】
▲１０▼  取り込んだデータのサーバーへの送信
取り込んだ精度管理用試料の測定値に関するデータを、端末（１０１）からサーバー（１０）へ送信することについては、前記の「〔２〕間接取込方式」の記載と同様に操作を行い、この「〔２〕間接取込方式」の「▲１０▼  取り込んだデータのサーバーへの送信」の項に記載した手順に従って行えばよい。
▲１１▼  サーバーからのデータの取り込み
当該測定施設における測定に関するデータ（情報）を、サーバー（１０）から端末（１０１）に取り込むことについては、前記の「〔２〕間接取込方式」の記載と同様に操作を行い、この「〔２〕間接取込方式」の「▲１１▼  サーバーからのデータの取り込み」の項に記載した手順に従って行えばよい。
▲１２▼  測定施設に関するデータの登録
新規に当該測定施設の登録を行うことについては、前記の「〔１〕手入力方式」の記載と同様に操作を行い、この「〔１〕手入力方式」の「▲４▼  測定施設に関するデータの登録」の項に記載した手順に従って行えばよい。
【０１８５】
▲１３▼  分析装置に関するデータの登録
当該測定施設における分析装置に関するデータの登録を行うことについては、前記の「〔１〕手入力方式」の記載と同様に操作を行い、この「〔１〕手入力方式」の「▲５▼  分析装置に関するデータの登録」の項に記載した手順に従って行えばよい。
▲１４▼  精度管理用試料に関するデータの登録
当該測定施設における精度管理用試料に関するデータの登録を行うことについては、前記の「〔１〕手入力方式」の記載と同様に操作を行い、この「〔１〕手入力方式」の「▲６▼  精度管理用試料に関するデータの登録」の項に記載した手順に従って行えばよい。
▲１５▼  被検物質の測定に関するデータの登録
当該測定施設における被検物質（測定項目）に関するデータの登録を行うことについては、前記の「〔１〕手入力方式」の記載と同様に操作を行い、この「〔１〕手入力方式」の「▲７▼  被検物質の測定に関するデータの登録」の項に記載した手順に従って行えばよい。
【０１８６】
▲１６▼  内部精度管理の基準値に関するデータの登録
当該測定施設における内部精度管理の基準値に関するデータ（情報）の登録を行うことについては、前記の「〔１〕手入力方式」の記載と同様に操作を行い、この「〔１〕手入力方式」の「▲８▼  内部精度管理の基準値に関するデータの登録」の項に記載した手順に従って行えばよい。
▲１７▼  外部精度管理の基準値に関するデータの登録
外部精度管理の基準値に関するデータ（情報）の登録を行うことについては、前記の「〔１〕手入力方式」の記載と同様に操作を行い、この「〔１〕手入力方式」の「▲９▼  外部精度管理の基準値に関するデータの登録」の項に記載した手順に従って行えばよい。
▲１８▼  内部精度管理情報の作成、提供
内部精度管理の精度管理情報の作成、及びこの精度管理情報の前記受給者（端末操作者）への提供については、前記の「〔１〕手入力方式」の記載と同様に操作を行い、この「〔１〕手入力方式」の「▲１１▼  内部精度管理情報の作成、提供」の項に記載した手順に従って行えばよい。
【０１８７】
▲１９▼  外部精度管理情報の作成、提供
外部精度管理の精度管理情報の作成、及びこの精度管理情報の前記受給者（端末操作者）への提供については、前記の「〔１〕手入力方式」の記載と同様に操作を行い、この「〔１〕手入力方式」の「▲１２▼  外部精度管理情報の作成、提供」の項に記載した手順に従って行えばよい。
▲２０▼  条件の切り替え、メンテナンス、コミュニケーション
当該測定施設における分析装置、精度管理用試料、又は被検物質（測定項目）等の切り替え（変更）に伴い、各データを変更前のものから変更後のものに移行させることについては、前記の「〔１〕手入力方式」の記載と同様に操作を行い、この「〔１〕手入力方式」の「▲１３▼  条件の切り替え」の項に記載した手順に従って行えばよい。
【０１８８】
また、データや各種設定のメンテナンス、又はトラブルシューティング等を行うことについては、前記の「〔１〕手入力方式」の記載と同様に操作を行い、この「〔１〕手入力方式」の「▲１４▼  メンテナンス」の項に記載した手順に従って行えばよい。
そして、精度管理に参加する他の受給者、精度管理情報の提供者（サーバーの管理者）、又は外部精度管理の主催者（管理者）等との間で、意見交換、質疑応答、又は連絡等の交信を行う場合については、前記の「〔１〕手入力方式」の記載と同様に操作を行い、この「〔１〕手入力方式」の「▲１５▼  コミュニケーション」の項に記載した手順に従って行えばよい。
【０１８９】
【発明の効果】
本発明のインターネットを利用した精度管理方法は、以下の効果を奏する。
１．  精度管理用試料の測定から精度管理情報の提供までの期間（時間）が短縮され、精度管理の結果を時間をおかずに知ることができるため（即時に知ることも可能）、測定に誤差が生じていた場合でも測定施設において直ちにこれを知ることができ、そして即時に誤差解消のための行動を取ることができる。
２．  ネットワークを通じて精度管理用試料の測定値に関するデータをサーバーに送信するものであるため、（例えば、携帯電話、ＰＨＳ等を使用すれば、）いつ何処からでも、精度管理用試料の測定値に関するデータをサーバーに送信し、即時に精度管理情報を作成させることができる。
【０１９０】
３．  ネットワークを通じて精度管理情報の提供を行うものであるので、前記精度管理情報の受給者は、（例えば、携帯電話、ＰＨＳ等を使用すれば、）いつ何処にいても即時に精度管理情報の提供を受けることができる。すなわち、いつ何処にいても即時に測定の信頼性を確かめることができる。
また、測定者と精度管理情報の受給者が異なる場合、例えば、測定者が診療所より検査を受託した臨床検査センターであり、そして前記受給者が検査を委託した診療所の場合においても、前記受給者である診療所は、測定者である臨床検査センターの測定における精度管理情報を、いつ何処にいても即時に確かめることができる。
【０１９１】
４．本発明の手入力方式における効果
精度管理用試料の測定値について、統計処理を行い、及び／又は管理図を作成して、精度管理情報を作成する段階をサーバーにおいて実行するため、精度管理情報の受給者の端末に上記の処理を行うプログラムを存在させる必要がない。これにより、この精度管理情報の提供システムにおいて、いかに多数の前記端末が存在したとしても、プログラムのメンテナンス、及びバージョンアップは、サーバーのプログラムを変更することのみにより達成することができる。
５．本発明の直接取込方式において分配器を使用する場合の効果
測定値の処理を行うためのコンピュータと分析装置との間のデータ送信用の配線を取り外さずに済むので、測定施設における日常の測定業務に支障を生じさせることなく、かつ繁雑な操作を行う必要なく、精度管理用試料の測定値に関するデータをサーバーに送信し、これにより精度管理情報の提供を受けることができる。
【図面の簡単な説明】
【図１】本発明の実施形態の「手入力方式」及び「間接取込方式」における全体構成を示した図である。
【図２】本発明の実施形態の「直接取込方式」における全体構成を示した図である。
【図３】本発明の実施形態におけるサーバーの構成を示した図である。
【図４】本発明の一実施形態における精度管理情報の受給者の端末の構成を示した図である。
【図５】本発明の実施形態における測定施設の照合のための画面の構成を説明するための図である。
【図６】本発明の実施形態における利用方法の選択を行うことができる画面の構成を説明するための図である。
【図７】本発明の実施形態における精度管理情報の受給者が所望する処理の選択を行える画面（メニュー画面）の構成を説明するための図である。
【図８】本発明の実施形態における測定施設に関するデータ（情報）の登録が行える画面の構成を説明するための図である。
【図９】本発明の実施形態における分析装置に関するデータの登録が行える画面に進むか、又は前記メニュー画面に戻るかの選択が行える画面の構成を説明するための図である。
【図１０】本発明の実施形態における分析装置に関するデータ（情報）の登録が行える画面の構成を説明するための図である。
【図１１】本発明の実施形態における精度管理用試料に関するデータ（情報）の登録が行える画面の構成を説明するための図である。
【図１２】本発明の実施形態における精度管理用試料に関するデータ（情報）の一覧表が表された画面の構成を説明するための図である。
【図１３】本発明の実施形態における被検物質（測定項目）の測定に関するデータ（情報）の登録が行える画面の構成を説明するための図である。
【図１４】本発明の実施形態における被検物質（測定項目）の測定に関するデータ（情報）の登録が行える画面の構成を説明するための図である。
【図１５】本発明の実施形態における被検物質（測定項目）の測定に関するデータ（情報）の一覧表が表示された画面の構成を説明するための図である。
【図１６】本発明の実施形態における被検物質（測定項目）の測定に関するデータ（情報）の一覧表が表示された画面の構成を説明するための図である。
【図１７】本発明の実施形態における内部精度管理の基準値に関するデータ（情報）の登録が行える画面の構成を説明するための図である。
【図１８】本発明の実施形態における外部精度管理の基準値に関するデータ（情報）の登録が行える画面の構成を説明するための図である。
【図１９】本発明の実施形態における精度管理用試料の測定値等のデータの手入力方式による入力が行える画面の構成を説明するための図である。
【図２０】本発明の実施形態における提供された日内精度管理の精度管理情報（「Ｘ−Ｒｓ管理図」）が表示された画面の構成を説明するための図である。
【図２１】本発明の実施形態における提供された日間精度管理の精度管理情報（「Ｘｂａｒ−Ｒｓ−Ｒ管理図」）が表示された画面の構成を説明するための図である。
【図２２】本発明の実施形態における提供された日内精度管理の精度管理情報（「Ｘ−Ｒｓ管理図」）の作成に用いた数値の一覧表が表示された画面の構成を説明するための図である。
【図２３】本発明の実施形態における提供された日間精度管理の精度管理情報（「Ｘｂａｒ−Ｒｓ−Ｒ管理図」）の作成に用いた数値の一覧表が表示された画面の構成を説明するための図である。
【図２４】本発明の実施形態における外部精度管理の精度管理情報（「分散図」）の表示が行える画面の構成を説明するための図である。
【図２５】本発明の実施形態における提供された外部精度管理の精度管理情報（「分散図」）が表示された画面の構成を説明するための図である。
【図２６】本発明の実施形態における提供された外部精度管理の精度管理情報（「分散図」）の作成に用いた数値の一覧表が表示された画面の構成を説明するための図である。
【図２７】本発明の実施形態における外部精度管理の精度管理情報（「Ｃｍ管理図」）の表示が行える画面の構成を説明するための図である。
【図２８】本発明の実施形態における提供された外部精度管理の精度管理情報（「Ｃｍ管理図」）が表示された画面の構成を説明するための図である。
【図２９】本発明の実施形態における提供された外部精度管理の精度管理情報（「Ｃｍ管理図」）の作成に用いた数値の一覧表が表示された画面の構成を説明するための図である。
【図３０】本発明の実施形態における提供された外部精度管理の精度管理情報（「Ｃｍ管理図」）の作成に用いた数値の一覧表が表示された画面の構成を説明するための図である。
【図３１】本発明の実施形態における分析装置の切り替え（変更）を行う場合に各データの移行を行える画面の構成を説明するための図である。
【図３２】本発明の実施形態における測定施設の照合のための画面の構成を説明するための図である。（「間接取込方式」、及び「直接取込方式」）
【図３３】本発明の実施形態における利用方法の選択を行うことができる画面の構成を説明するための図である。（「間接取込方式」、及び「直接取込方式」）
【図３４】本発明の実施形態における精度管理情報の受給者が所望する処理の選択を行える画面（測定値取込メニュー画面）の構成を説明するための図である。（「間接取込方式」、及び「直接取込方式」）
【図３５】本発明の実施形態における精度管理用試料の測定値等のデータの取り込み方法の選択、及び分析装置の機種名の選択を行うことができる画面の構成を説明するための図である。（「間接取込方式」、及び「直接取込方式」）
【図３６】本発明の実施形態における間接取込方式により精度管理用試料の測定値等のデータの取り込みを行うことができる画面の構成を説明するための図である。（「間接取込方式」）
【図３７】本発明の実施形態における取り込んだデータ（情報）の関連付け処理を行うことができる画面の構成を説明するための図である。（「間接取込方式」、及び「直接取込方式」）
【図３８】本発明の実施形態における精度管理用試料に関するデータ（情報）について関連付け処理を行うことができる画面の構成を説明するための図である。（「間接取込方式」、及び「直接取込方式」）
【図３９】本発明の実施形態における被検物質（測定項目）に関するデータ（情報）について関連付け処理を行うことができる画面の構成を説明するための図である。（「間接取込方式」、及び「直接取込方式」）
【図４０】本発明の実施形態における取り込んだ測定値等のデータの選択、確認、変更（訂正）を行うことができる画面の構成を説明するための図である。（「間接取込方式」、及び「直接取込方式」）
【図４１】本発明の実施形態における取り込んだ精度管理用試料の測定値に関するデータ（情報）を端末からサーバーへ送信することができる画面の構成を説明するための図である。（「間接取込方式」、及び「直接取込方式」）
【図４２】本発明の実施形態における当該測定施設における測定に関するデータ（情報）を、サーバーから端末に取り込むことができる画面の構成を説明するための図である。（「間接取込方式」、及び「直接取込方式」）
【図４３】本発明の実施形態における直接取込方式により精度管理用試料の測定値等のデータの取り込みを行うことができる画面の構成を説明するための図である。（「直接取込方式」）
【符号の説明】
１０…サーバー
１１…制御手段（サーバー）
１２…入力制御手段（サーバー）
１３…出力制御手段（サーバー）
１４〜２３…記憶手段（サーバー）
５１…制御手段（精度管理情報の受給者の端末）
５２…入力制御手段（精度管理情報の受給者の端末）
５３…出力制御手段（精度管理情報の受給者の端末）
５４〜６１…記憶手段（精度管理情報の受給者の端末）
１０１、１０２、１０３、１０４…精度管理情報の受給者の端末
２０１、２０２、２０３、２０４、２０５、２０６…分析装置
３０１、３０２、３０３…コンピュータ
４０１、４０２、４０３…分配器
【図１】
0003799387.tif 000002
【図２】
0003799387.tif 000003
【図３】
0003799387.tif 000004
【図４】
0003799387.tif 000005
【図５】
0003799387.tif 000006
【図６】
0003799387.tif 000007
【図７】
0003799387.tif 000008
【図８】
0003799387.tif 000009
【図９】
0003799387.tif 000010
【図１０】
0003799387.tif 000011
【図１１】
0003799387.tif 000012
【図１２】
0003799387.tif 000013
【図１３】
0003799387.tif 000014
【図１４】
0003799387.tif 000015
【図１５】
0003799387.tif 000016
【図１６】
0003799387.tif 000017
【図１７】
0003799387.tif 000018
【図１８】
0003799387.tif 000019
【図１９】
0003799387.tif 000020
【図２０】
0003799387.tif 000021
【図２１】
0003799387.tif 000022
【図２２】
0003799387.tif 000023
【図２３】
0003799387.tif 000024
【図２４】
0003799387.tif 000025
【図２５】
0003799387.tif 000026
【図２６】
0003799387.tif 000027
【図２７】
0003799387.tif 000028
【図２８】
0003799387.tif 000029
【図２９】
0003799387.tif 000030
【図３０】
0003799387.tif 000031
【図３１】
0003799387.tif 000032
【図３２】
0003799387.tif 000033
【図３３】
0003799387.tif 000034
【図３４】
0003799387.tif 000035
【図３５】
0003799387.tif 000036
【図３６】
0003799387.tif 000037
【図３７】
0003799387.tif 000038
【図３８】
0003799387.tif 000039
【図３９】
0003799387.tif 000040
【図４０】
0003799387.tif 000041
【図４１】
0003799387.tif 000042
【図４２】
0003799387.tif 000043
【図４３】
0003799387.tif 000044